(57)【要約】  無線ネットワークノード（ＲＮＮ）２１０と、無線デバイス２０８の復調基準信号（ＤＭＲＳ）の構成のためのそれらにおける方法とを含む。ＲＮＮ２１０と無線デバイス２０８は無線通信ネットワーク２００において動作している。ＲＮＮは無線デバイスへＤＭＲＳ構成を示す。ＤＭＲＳ構成は、第１の送信に対するＤＭＲＳを含む第１の直交周波数分割多重（ＯＦＤＭ）シンボル、および、該第１の送信に対するＤＭＲＳを含む第２のＯＦＤＭシンボルのうちの１つ以上に関連するように動的に構成可能である。【選択図】図２
2019519959.tif 000002
【特許請求の範囲】
【請求項１】
無線デバイス（２０８）の復調参照信号（ＤＭＲＳ）の構成のために無線ネットワークノード（ＲＮＮ）（２１０）により実行される方法であって、前記ＲＮＮ（２１０）と前記無線デバイス（２０８）は無線通信ネットワーク（２００）において動作しており、前記方法は
ＤＭＲＳ構成を無線デバイス（２０８）に示すこと（３０５、４０４）を含み、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、方法。
【請求項２】
請求項１に記載の方法であって、前記第１および第２のＯＦＤＭシンボルは、単一のサブフレームに含まれる、方法。
【請求項３】
請求項２に記載の方法であって、前記第１のＯＦＤＭシンボルは前記サブフレームの最初に位置し、前記第２のＯＦＤＭシンボルは前記サブフレームの最後に位置する、方法。
【請求項４】
請求項１から３のいずれか１項に記載の方法であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、方法。
【請求項５】
請求項１から３のいずれか１項に記載の方法であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、方法。
【請求項６】
請求項１から５のいずれかに記載の方法であって、前記ＤＭＲＳ構成を前記無線デバイス（２０８）に示すこと（３０５、４０４）は、
ＤＭＲＳを含む前記第２のＯＦＤＭシンボルを示すインジケータを、前記無線デバイス（２０８）に送信することによってＤＭＲＳ構成を示すことを含み、前記インジケータは単一ビットまたはフラグである、方法。
【請求項７】
請求項１から５のいずれかに記載の方法であって、前記ＤＭＲＳ構成を前記無線デバイス（２０８）に示すこと（３０５、４０４）は、
前記無線デバイス（２０８）に送信されたスケジューリングメッセージにおいて前記ＤＭＲＳ構成を示すことを含む、方法。
【請求項８】
請求項１から７のいずれか１項に記載の方法であって、
前記ＤＭＲＳ構成に従って前記ＤＭＲＳを前記無線デバイス（２０８）に送信すること（３０６、４０５）、および、前記ＤＭＲＳ構成をに従って送信された前記ＤＭＲＳに関するフィードバックを前記無線デバイス（２０８）から受信すること、のうちの１つ以上を含む、方法。
【請求項９】
復調参照信号（ＤＭＲＳ）の構成のために無線デバイス（２０８）により実行される方法であって、前記無線デバイス（２０８）と前記ＲＮＮ（２１０）は無線通信ネットワーク（２００）において動作しており、前記方法は、
ＤＭＲＳ構成の指標を前記ＲＮＮ（２１０）から受信すること（３０５、８０４）を含み、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、方法。
【請求項１０】
請求項９に記載の方法であって、前記第１および第２のＯＦＤＭシンボルは、単一のサブフレームに含まれる、方法。
【請求項１１】
請求項１０に記載の方法であって、前記第１のＯＦＤＭシンボルは前記サブフレームの最初に位置し、前記第２のＯＦＤＭシンボルは前記サブフレームの最後に位置する、方法。
【請求項１２】
請求項９から１１のいずれか１項に記載の方法であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、方法。
【請求項１３】
請求項９から１１のいずれか１項に記載の方法であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、方法。
【請求項１４】
請求項９から１３のいずれか１項に記載の方法であって、前記指標はＤＭＲＳを含む前記第２のＯＦＤＭシンボルを示すインジケータであり、前記インジケータは単一ビットまたはフラグである、方法。
【請求項１５】
請求項９から１３のいずれか１項に記載の方法であって、前記指標は前記ＤＭＲＳ構成を示すスケジューリングメッセージである、方法。
【請求項１６】
請求項９から１５のいずれか１項に記載の方法であって、
前記ＤＭＲＳ構成に従って送信された前記ＤＭＲＳを前記ＲＮＮ（２１０）から受信すること（３０６、８０５）、および、前記ＤＭＲＳ構成に従って前記ＤＭＲＳに関するフィードバックを前記ＲＮＮ（２１０）へ送信すること、のうちの１つ以上を含む、方法。
【請求項１７】
無線デバイス（２０８）の復調参照信号（ＤＭＲＳ）の構成のための無線ネットワークノード（ＲＮＮ）（２１０）であって、前記ＲＮＮ（２１０）と前記無線デバイス（２０８）は無線通信ネットワーク（２００）において動作するように構成され、前記ＲＮＮ（２１０）は、
ＤＭＲＳ構成を前記無線デバイス（２０８）へ示するように構成され、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、ＲＮＮ（２１０）。
【請求項１８】
請求項１７に記載のＲＮＮ（２１０）であって、前記第１および第２のＯＦＤＭシンボルは、単一のサブフレームに含まれる、ＲＮＮ（２１０）。
【請求項１９】
請求項１８に記載のＲＮＮ（２１０）であって、前記第１のＯＦＤＭシンボルは前記サブフレームの最初に位置し、前記第２のＯＦＤＭシンボルは前記サブフレームの最後に位置する、ＲＮＮ（２１０）。
【請求項２０】
請求項１７から１９のいずれか１項に記載のＲＮＮ（２１０）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、ＲＮＮ（２１０）。
【請求項２１】
請求項１７から１９のいずれか１項に記載のＲＮＮ（２１０）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、ＲＮＮ（２１０）。
【請求項２２】
請求項１７から２１のいずれか１項に記載のＲＮＮ（２１０）であって、ＤＭＲＳを含む前記第２のＯＦＤＭシンボルを示すインジケータを、前記無線デバイス（２０８）に送信することによってＤＭＲＳ構成を示すように構成され、前記インジケータは単一ビットまたはフラグである、ＲＮＮ（２１０）。
【請求項２３】
請求項１７から２１のいずれか１項に記載のＲＮＮ（２１０）であって、前記無線デバイス（２０８）に送信されたスケジューリングメッセージにおいて前記ＤＭＲＳ構成を示すように構成される、ＲＮＮ（２１０）。
【請求項２４】
請求項１７から２３のいずれか1項に記載のＲＮＮ（２１０）であって、
前記ＤＭＲＳ構成に従って前記ＤＭＲＳを前記無線デバイス（２０８）に送信する、および／または、前記ＤＭＲＳ構成をに従って送信された前記ＤＭＲＳに関するフィードバックを前記無線デバイス（２０８）から受信するように構成される、ＲＮＮ（２１０）。
【請求項２５】
復調参照信号（ＤＭＲＳ）の構成のための無線デバイス（２０８）であって、前記無線デバイス（２０８）と前記ＲＮＮ（２１０）は無線通信ネットワーク（２００）において動作しており、前記無線デバイス（２０８）は、
ＤＭＲＳ構成の指標を前記ＲＮＮ（２１０）から受信するように構成され、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、無線デバイス（２０８）。
【請求項２６】
請求項２５に記載の無線デバイス（２０８）であって、前記第１および第２のＯＦＤＭシンボルは、単一のサブフレームに含まれる、無線デバイス（２０８）。
【請求項２７】
請求項２６に記載の無線デバイス（２０８）であって、前記第１のＯＦＤＭシンボルは前記サブフレームの最初に位置し、前記第２のＯＦＤＭシンボルは前記サブフレームの最後に位置する、無線デバイス（２０８）。
【請求項２８】
請求項２５から２７のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、無線デバイス（２０８）。
【請求項２９】
請求項２５から２７のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、無線デバイス（２０８）。
【請求項３０】
請求項２５から２９のいずれか１項に記載の無線デバイス（２０８）であって、前記指標はＤＭＲＳを含む前記第２のＯＦＤＭシンボルを示すインジケータであり、前記インジケータは単一ビットまたはフラグである、無線デバイス（２０８）。
【請求項３１】
請求項２５から２９のいずれか１項に記載の無線デバイス（２０８）であって、前記指標は前記ＤＭＲＳ構成を示すスケジューリングメッセージである、無線デバイス（２０８）。
【請求項３２】
請求項２５から３１のいずれか1項に記載の無線デバイス（２０８）であって、
前記ＤＭＲＳ構成に従って送信された前記ＤＭＲＳを前記ＲＮＮ（２１０）から受信する、および／または、前記ＤＭＲＳ構成に従って前記ＤＭＲＳに関するフィードバックを前記ＲＮＮ（２１０）へ送信するように構成される、無線デバイス（２０８）。
【請求項３３】
少なくとも１つのプロセッサにおいて実行される場合に、請求項１から１６のいずれか1項に記載の方法を前記少なくとも１つのプロセッサに実行させる命令を含むコンピュータプログラム。
【請求項３４】
実施形態３３のコンピュータプログラムを含むキャリアであって、前記キャリアは電気信号、光信号、無線信号、またはコンピュータ可読記憶媒体のうちの一つである、キャリア。
【請求項３５】
無線デバイス（２０８）の復調参照信号（ＤＭＲＳ）の構成のための無線ネットワークノード（ＲＮＮ）であって、前記ＲＮＮ（２１０）と前記無線デバイス（２０８）は無線通信ネットワーク（２００）において動作するように構成され、前記ＲＮＮ（２１０）は、プロセッサ（５０７）とメモリ（５０６）を備え、前記メモリ（５０６）は、前記プロセッサ（５０７）によって実行可能な命令を含み、それによりＲＮＮ（２１０）は、
ＤＭＲＳ構成を前記無線デバイス（２０８）へ示すように動作し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、ＲＮＮ（２１０）。
【請求項３６】
請求項３５に記載のＲＮＮ（２１０）であって、前記第１および第２のＯＦＤＭシンボルは、単一のサブフレームに含まれる、ＲＮＮ（２１０）。
【請求項３７】
請求項３６に記載のＲＮＮ（２１０）であって、前記第１のＯＦＤＭシンボルは前記サブフレームの最初に位置し、前記第２のＯＦＤＭシンボルは前記サブフレームの最後に位置する、ＲＮＮ（２１０）。
【請求項３８】
請求項３５から３７のいずれか１項に記載のＲＮＮ（２１０）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、ＲＮＮ（２１０）。
【請求項３９】
請求項３５から３７のいずれか１項に記載のＲＮＮ（２１０）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、ＲＮＮ（２１０）。
【請求項４０】
請求項３５から３９のいずれか１項に記載のＲＮＮ（２１０）であって、ＤＭＲＳを含む前記第２のＯＦＤＭシンボルを示すインジケータを、前記無線デバイス（２０８）に送信することによってＤＭＲＳ構成を示するように構成され、前記インジケータは単一ビットまたはフラグである、ＲＮＮ（２１０）。
【請求項４１】
請求項３５から３９のいずれか１項に記載のＲＮＮ（２１０）であって、前記無線デバイス（２０８）に送信されたスケジューリングメッセージにおいて前記ＤＭＲＳ構成を示すように構成される、ＲＮＮ（２１０）。
【請求項４２】
請求項３５から４１のいずれか１項に記載のＲＮＮ（２１０）であって、
前記ＤＭＲＳ構成に従って前記ＤＭＲＳを前記無線デバイス（２０８）に送信する、および／または、前記ＤＭＲＳ構成をに従って送信された前記ＤＭＲＳに関するフィードバックを前記無線デバイス（２０８）から受信するように動作する、ＲＮＮ（２１０）。
【請求項４３】
復調参照信号（ＤＭＲＳ）の構成のための無線デバイス（２０８）であって、無線デバイス（２０８）と前記ＲＮＮ（２１０）は無線通信ネットワーク（２００）において動作しており、前記無線デバイス（２０８）は、プロセッサ（５０７）とメモリ（５０６）を備え、前記メモリ（５０６）は、前記プロセッサ（５０７）によって実行可能な命令を含み、それにより無線デバイス（２０８）は、
ＤＭＲＳ構成の指標を前記ＲＮＮ（２１０）から受信するように動作し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、無線デバイス（２０８）。
【請求項４４】
請求項４３に記載の無線デバイス（２０８）であって、前記第１および第２のＯＦＤＭシンボルは、単一のサブフレームに含まれる、無線デバイス（２０８）。 
【請求項４５】
請求項４４に記載の無線デバイス（２０８）であって、前記第１のＯＦＤＭシンボルは前記サブフレームの最初に位置し、前記第２のＯＦＤＭシンボルは前記サブフレームの最後に位置する、無線デバイス（２０８）。
【請求項４６】
請求項４３から４５のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、無線デバイス（２０８）。
【請求項４７】
請求項４３から４５のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、無線デバイス（２０８）。
【請求項４８】
請求項４３から４７のいずれか１項に記載の無線デバイス（２０８）であって、前記指標はＤＭＲＳを含む前記第２のＯＦＤＭシンボルを示すインジケータであり、前記インジケータは単一ビットまたはフラグである、無線デバイス（２０８）。
【請求項４９】
請求項４３から４７のいずれか１項に記載の無線デバイス（２０８）であって、前記指標は前記ＤＭＲＳ構成を示すスケジューリングメッセージである、無線デバイス（２０８）。
【請求項５０】
請求項４３から４８のいずれか１項に記載の無線デバイス（２０８）であって、
前記ＤＭＲＳ構成に従って送信された前記ＤＭＲＳを前記ＲＮＮ（２１０）から受信する、および／または、前記ＤＭＲＳ構成に従って前記ＤＭＲＳに関するフィードバックを前記ＲＮＮ（２１０）へ送信するように動作する、無線デバイス（２０８）。
【請求項５１】
無線デバイス（２０８）の復調参照信号（ＤＭＲＳ）の構成のための無線ネットワークノード（ＲＮＮ）であって、前記ＲＮＮ（２１０）と前記無線デバイス（２０８）は無線通信ネットワーク（２００）において動作するように構成され、前記ＲＮＮ（２１０）は、
ＤＭＲＳ構成を前記無線デバイス（２０８）へ示すように構成されたモジュール（５０５）を有し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、ＲＮＮ（２１０）。
【請求項５２】
請求項５１に記載のＲＮＮ（２１０）であって、前記第１および第２のＯＦＤＭシンボルは、単一のサブフレームに含まれる、ＲＮＮ（２１０）。
【請求項５３】
請求項５２に記載のＲＮＮ（２１０）であって、前記第１のＯＦＤＭシンボルは前記サブフレームの最初に位置し、前記第２のＯＦＤＭシンボルは前記サブフレームの最後に位置する、ＲＮＮ（２１０）。
【請求項５４】
請求項５１から５３のいずれか１項に記載のＲＮＮ（２１０）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、ＲＮＮ（２１０）。
【請求項５５】
請求項５１から５３のいずれか１項に記載のＲＮＮ（２１０）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、ＲＮＮ（２１０）。
【請求項５６】
請求項５１から５５のいずれか１項に記載のＲＮＮ（２１０）であって、ＤＭＲＳを含む前記第２のＯＦＤＭシンボルを示すインジケータを、前記無線デバイス（２０８）に送信することによってＤＭＲＳ構成を示すように構成され、前記インジケータは単一ビットまたはフラグである、ＲＮＮ（２１０）。
【請求項５７】
請求項５１から５５のいずれか１項に記載のＲＮＮ（２１０）であって、前記無線デバイス（２０８）に送信されたスケジューリングメッセージにおいて前記ＤＭＲＳ構成を示すように構成される、ＲＮＮ（２１０）。
【請求項５８】
請求項５１から５７のいずれか１項に記載のＲＮＮ（２１０）であって、
前記ＤＭＲＳ構成に従って前記ＤＭＲＳを前記無線デバイス（２０８）に送信するように構成される送信モジュール（５０２）、および／または、前記ＤＭＲＳ構成をに従って送信された前記ＤＭＲＳに関するフィードバックを前記無線デバイス（２０８）から受信するように構成される受信モジュール（５０１）を有する、ＲＮＮ（２１０）。
【請求項５９】
復調参照信号（ＤＭＲＳ）の構成のための無線デバイス（２０８）であって、前記無線デバイス（２０８）と前記ＲＮＮ（２１０）は無線通信ネットワーク（２００）において動作しており、前記無線デバイス（２０８）は、
ＤＭＲＳ構成の指標を前記ＲＮＮ（２１０）から受信するように構成された受信モジュール（９０１）を有し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、無線デバイス（２０８）。
【請求項６０】
請求項５９に記載の無線デバイス（２０８）であって、前記第１および第２のＯＦＤＭシンボルは、単一のサブフレームに含まれる、無線デバイス（２０８）。
【請求項６１】
請求項６０に記載の無線デバイス（２０８）であって、前記第１のＯＦＤＭシンボルは前記サブフレームの最初に位置し、前記第２のＯＦＤＭシンボルは前記サブフレームの最後に位置する、無線デバイス（２０８）。
【請求項６２】
請求項５９から６１のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、無線デバイス（２０８）。
【請求項６３】
請求項５９から６１のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される、無線デバイス（２０８）。
【請求項６４】
請求項５９から６４のいずれか１項に記載の無線デバイス（２０８）であって、前記指標はＤＭＲＳを含む前記第２のＯＦＤＭシンボルを示すインジケータであり、前記インジケータは単一ビットまたはフラグである、無線デバイス（２０８）。
【請求項６５】
請求項５９から６４のいずれか１項に記載の無線デバイス（２０８）であって、前記指標は前記ＤＭＲＳ構成を示すスケジューリングメッセージである、無線デバイス（２０８）。
【請求項６６】
請求項５９から６５のいずれか１項に記載の無線デバイス（２０８）であって、前記受信モジュールは、前記ＤＭＲＳ構成に従って送信された前記ＤＭＲＳを前記ＲＮＮ（２１０）から受信するように構成され、および／または、前記無線デバイス（２０８）は、前記ＤＭＲＳ構成に従ってＤＭＲＳに関連するフィードバックを前記ＲＮＮ（２１０）へ送信するように構成された送信モジュー（９０２）を有する、無線デバイス（２０８）。
【発明の詳細な説明】
【技術分野】
【０００１】
本実施形態は、一般的には、無線ネットワークノード（ＲＮＮ）、無線デバイス、それらにおける方法に関する。特に、実施形態は、参照信号（ＲＳ）の構成、特に高速復調参照信号（ＤＭＲＳ）の構成に関する。
【背景技術】
【０００２】
端末といった通信デバイスは、ユーザ装置（ＵＥ）、移動端末、ステーション（ＳＴＡ）、無線デバイス、および／または移動局等としても知られる。通信デバイスは、無線ローカルエリアネットワーク（ＷＬＡＮ）、または、ときにセルラ無線システムまたはセルラネットワークとも参照されるセルラ通信ネットワークといった、無線通信ネットワークにおいて、無線で通信することが可能である。通信は、例えば、２つの通信デバイスの間、通信デバイスと一般の電話との間、および／または、無線通信ネットワーク内に含まれる、アクセスネットワークおよび場合により１つ以上のコアネットワークを介して通信デバイスとサーバとの間で実施され得る。
【０００３】
上記の通信デバイスは更に、更なる例を挙げると、移動電話、セルラ電話、ラップトップ、または無線機能を有するタブレットとも参照される。本文脈における通信デバイスは、例えば、ポータブル、ポケットに格納可能、ハンドヘルド、コンピュータ内蔵、または、車両に搭載された移動機器であり、別の端末やサーバ等の別のエンティティとの無線アクセスネットワーク（ＲＡＮ）といったアクセスネットワークを介した音声並びに／またはデータの通信が可能である。
【０００４】
通信ネットワークは、カバレッジエリア、セル、またはクラスタといった地理的サブエリアに分割された地理的エリアをカバーする。セルラー通信ネットワークでは、各セルエリアは、使用される技術および用語に応じて、「ｅＮＢ」、「ｅＮｏｄｅＢ」、「ＮｏｄｅＢ」、「Ｂノード」、またはＢＴＳ（基地送受信局）と呼ばれることがある無線基地局（ＲＢＳ）等の基地局といったアクセスノードによってサービスが提供される。基地局は、送信電力、機能的能力、および、それによるセルサイズも基づいて、マクロｅＮｏｄｅＢ、ホームｅＮｏｄｅＢ、ミクロｅＮｏｄｅＢまたはピコ基地局といった異なるクラスのものであり得る。セルは、地理的なエリアであり、無線カバレッジは、基地局のサイトにおける基地局により提供される。基地局サイトに位置する一つの基地局は、一つまたはいくつかのセルをサービスし得る。更に、各基地局は、一つまたはいくつかの通信技術をサポートし得る。基地局は、当該基地局の範囲内で、通信デバイスと無線周波数上で運用するエアインタフェースを介して通信を行う。本開示の文脈では、基地局から通信デバイスへの送信パスに対してダウンリンク（ＤＬ）という表現が使用される。反対の方向、すなわち、通信デバイスから基地局への送信パスに対してアップリンク（ＵＬ）という表現が使用される。
【０００５】
ユニバーサル移動体通信システム（ＵＭＴＳ）は、第２世代（２Ｇ）の移動通信用グローバルシステム（ＧＳＭ）から進化した第３世代（３Ｇ）通信ネットワークである。ＵＭＴＳ地上無線アクセスネットワーク（ＵＴＲＡＮ）は、本質的に、ユーザ装置のための広帯域符号分割多元接続（ＷＣＤＭＡ）および／または高速パケットアクセス（ＨＳＰＡ）を使用するＲＡＮである。第３世代パートナーシッププロジェクト（３ＧＰＰ）として知られているフォーラムでは、電気通信サプライヤが第３世代ネットワークの標準を提案し合意し、データレートと無線容量の向上を検討している。いくつかのＲＡＮでは、例えばＵＭＴＳのように、複数の無線ネットワークノードは、無線ネットワークコントローラ（ＲＮＣ）または基地局コントローラ（ＢＳＣ）のようなコントローラノードに、例えば陸上線またはマイクロ波によって接続することができ、当該コントローラノードは、それに接続された複数の無線ネットワークノードの様々な活動を監視し、調整する。この種類の接続は、ときにバックホール接続と称される。ＲＮＣとＢＳＣは典型的には１つ以上のコアネットワークに接続される。
【０００６】
第４世代（４Ｇ）ネットワークとも呼ばれる進化型パケットシステム（ＥＰＳ）の仕様は３ＧＰＰ内で完了しており、この作業は今後の３ＧＰＰリリース、例えば第５世代（５Ｇ）ネットワークを規定するために継続されている。ＥＰＳは、ＬＴＥ（ロングタームエヴォリューション）無線アクセスネットワークとしても知られる進化型ユニバーサル地上波無線アクセスネットワーク（Ｅ−ＵＴＲＡＮ）と、システムアーキテクチャ進化（ＳＡＥ）コアネットワークとしても知られる進化型パケットコア（ＥＰＣ）を含む。Ｅ−ＵＴＲＡＮ／ＬＴＥは、３ＧＰＰ無線アクセスネットワークの変形であり、無線ネットワークノードがＲＮＣではなくＥＰＣコアネットワークに直接接続される。一般的に、Ｅ−ＵＴＲＡＮ／ＬＴＥにおいて、ＲＮＣの機能は、無線ネットワークノード（例えばＬＴＥではｅＮｏｄｅＢ）とコアネットワーク間で分散される。したがって、ＥＰＳのＲＡＮは、１つ以上のコアネットワークに直接接続された無線ネットワークノードを含む本質的に「フラット」なアーキテクチャを有し、すなわち、それらはＲＮＣに接続されていない。これを補うために、Ｅ−ＵＴＲＡＮ仕様は無線ネットワークノード間の直接インタフェースを定義し、このインタフェースはＸ２インタフェースと呼ばれる。ＥＰＳは、進化型３ＧＰＰパケット交換ドメインである。
【０００７】
３ＧＰＰ  ＬＴＥ無線アクセス規格は、アップリンクとダウンリンクの両トラフィックに対して高ビットレートで低遅延をサポートするために記述されている。全てのデータ伝送は、ＬＴＥにおいて無線基地局により制御される。
【０００８】
アドバンストアンテナシステム（ＡＳＳ）は、近年顕著に進化している技術であり、将来急速な技術の開発が見込まれている分野である。従って、一般的にはＡＳＳであって、具体的には大量の他出力多入力（ＭＩＭＯ）送信および受信が、将来の第５世代（５Ｇ）システムにおいて基礎となると想定することは自然なことである。
【０００９】
復調参照信号（ＤＭＲＳ）は、無線ネットワークノード（ＲＮＮ）等の送信機から無線デバイス等の受信機への任意の送信において、送信が受信機においてチャネル推定を必要とする場合に、時間グリッドおよび周波数グリッドに挿入される。送信は、データまたは制御情報を含む送信であり得る。
【００１０】
ＤＭＲＳは、受信時に受信機に知られている参照信号から構成される。ＤＭＲＳの構成は、準静的であり得る。例えば、上位レイヤシグナリングを介して変更されてもよく、または、例えば物理チャネルを使用したダウンリンク制御情報（ＤＣＩ）シグナリング等の制御シグナリングを介して動的であってもよい。
【００１１】
本開示において使用される場合、「準静的な構成」という表現は、第１の上位レイヤの信号と第２の上位レイヤの信号との間で同一であり、第２の上位レイヤの信号により変更され得る等、構成が静的であり得ることを意味する。したがって、上位レイヤのシグナリングによって構成が変更可能であるが、２つの上位レイヤの信号間の時間間隔の間、構成は変更されない。
【００１２】
更に、本開示において使用される場合、「上位レイヤのシグナリング」という表現は、制御シグナリングとは異なるシグナリングを意味する。例えば、上位レイヤのシグナリングは、トランスポートチャネル、論理チャネル、または無線ベアラを用いたシグナリングである。したがって、上位レイヤのシグナリングの表現は、データリンクレイヤ、ネットワークレイヤ、トランスポートレイヤ、セッションレイヤ、プレゼンテーションレイヤ、またはアプリケーションレイヤにおけるシグナリングに使用される。
【００１３】
ＤＭＲＳは、典型的には、全リソースブロックにわたって良好なチャネル推定を容易にするために、直交周波数分割多重（ＯＦＤＭ）システムにおける送信の時間／周波数グリッドにわたって広がる。１つのリソースブロックは、０．５ｍｓの１つのスロットの間に送信された１２のサブキャリアを含み、１つのスロットは７のＯＦＤＭシンボルを含む。
【００１４】
ＤＭＲＳは、典型的には、時間および／または周波数の誤差の推定に対しても使用される。しかしながら、同じＯＦＤＭシンボル内にあるが、異なるサブキャリア上等の異なる周波数位置に配置された２つ以上のＤＭＲＳは、時間誤差推定を可能にするだけである。
【００１５】
５Ｇの仕様を扱う様々なフォーラムでは、１つのＯＦＤＭシンボルにおいてＤＭＲＳのみを含むＤＭＲＳフォーマットが提案されている。典型的には、図１を参照すると、ＤＭＲＳは、３番目のＯＦＤＭシンボル等、早めのＯＦＤＭシンボルに含まれ、サブフレームの受信中に早期のチャネル推定を容易にする。図１は、２つの隣接する物理リソースブロック（ＰＲＢ）であるＰＲＢ１、ＰＲＢ２上に示される１つのサブフレームにおける１つのアンテナポート構成に対するＤＭＲＳを例示している。図１において、第１のアンテナポート上の第１の送信に対するいくつかの第１のＤＭＲＳは、黒塗りの四角で示されるすべての２番目のサブキャリアに配置され、ｘでマークされた位置は、第２のアンテナポート上の第２の送信等の別の送信のいくつかの第２のＤＭＲＳのために予約されている。したがって、すべてのＤＭＲＳは、ＯＦＤＭシンボル番号２等の単一のＯＦＤＭシンボルに含まれるが、異なるサブキャリア上にある。
【００１６】
ＤＭＲＳベースの設計は、物理アップリンク共用チャネル（ＰＵＳＣＨ）上といったのアップリンクデータ受信、および、物理ダウンリンク共用チャネル（ＰＤＳＣＨ）上といったダウンリンクデータ受信の一方または両方に使用することができる。
【００１７】
無線通信ネットワークの開発によれば、無線通信ネットワークの性能を改善するために、ＤＭＲＳを提供する改善された方法が必要とされる。
【発明の概要】
【００１８】
本実施形態の目的は、従来技術の欠点の少なくともいくつかを解決し、無線通信ネットワークにおける性能を向上させることである。
【００１９】
本実施形態の１つの観点によれば、目的は、無線通信ネットワークにおける復調参照信号（ＤＭＲＳ）等の参照信号（ＲＳ）を構成するための無線ネットワークノード（ＲＮＮ）により実行される方法により達成される。ＲＮＮと無線デバイスは無線通信ネットワークにおいて動作している。
【００２０】
ＲＮＮは、ＤＭＲＳ構成を無線デバイスに示す。ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能である。
【００２１】
ＲＮＮは、ＤＭＲＳ構成に従ってＤＭＲＳを無線デバイスへ送信する。
【００２２】
本実施形態の別の観点によれば、目的は、無線通信ネットワークにおける復調参照信号（ＤＭＲＳ）等の参照信号（ＲＳ）を構成するための無線ネットワークノード（ＲＮＮ）により達成される。ＲＮＮと無線デバイスは無線通信ネットワークにおいて動作するように構成される。
【００２３】
ＲＮＮは、ＤＭＲＳ構成を無線デバイスに示すように構成される。ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能である。
【００２４】
ＲＮＮ２１０は、ＤＭＲＳ構成に従ってＤＭＲＳを無線デバイスへ送信するように構成され得る。
【００２５】
本実施形態の別の観点によれば、ＤＭＲＳ等のＲＳを受信するための無線デバイスにより実行される方法により達成される。無線デバイスと無線ネットワークノード（ＲＮＮ）は、無線通信ネットワークにおいて動作している。
【００２６】
無線デバイスは、ＤＭＲＳ構成の指標をＲＮＮから受信する。ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能である。
【００２７】
更に、無線デバイスは、示されたＤＭＲＳ構成に従って送信されたＤＭＲＳを受信し得る。
【００２８】
本実施形態の別の観点によれば、目的は、ＤＭＲＳ等のＲＳを受信するための無線デバイスにより達成される。無線デバイスと無線ネットワークノード（ＲＮＮ）は、無線通信ネットワークにおいて動作するように構成される。
【００２９】
無線デバイスは、ＤＭＲＳ構成の指標をＲＮＮから受信するように構成される。ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能である。
【００３０】
更に、無線デバイスは、示されたＤＭＲＳ構成に従って送信されたＤＭＲＳを受信するように構成され得る。
【００３１】
本実施形態の別の観点によれば、目的は、少なくとも１つのプロセッサ上で実行されると、当該少なくとも１つのプロセッサにＲＮＮにより実行される方法を実行させる命令を含むコンピュータプログラムによって達成される。
【００３２】
本実施形態の別の観点によれば、目的は、少なくとも１つのプロセッサ上で実行されると、当該少なくとも１つのプロセッサに無線デバイスにより実行される方法を実行させる命令を含むコンピュータプログラムによって達成される。
【００３３】
本実施形態の別の観点によれば、目的は、コンピュータプログラムを含むキャリアによって達成され、当該キャリアは、電子信号、光信号、無線信号、またはコンピュータ可読記憶媒体のうちの１つである。
【００３４】
ＲＮＮは、第１の送信のＤＭＲＳを含む第１のＯＦＤＭシンボルおよび第１の送信のＤＭＲＳを含む第２のＯＦＤＭシンボルのうちの１つ以上に関連するように動的に構成可能なＤＭＲＳ構成を無線デバイスに示すので、無線デバイスは、ＤＭＲＳがどのように送信されるかについての知識を有し、周波数誤差推定の精度が変化し得る。例えば、２つ以上の異なるＯＦＤＭシンボルでＤＭＲＳを送信することによって、改良された周波数誤差推定が無線デバイスによって実行され得る。これにより、通信ネットワークにおける性能が向上する。
【００３５】
したがって、本実施形態の利点は、当該実施形態がが改善された周波数誤差推定を提供することである。
【００３６】
本実施形態の別の利点は、１つ以上の第２のＯＦＤＭシンボル等の１つ以上の追加のＯＦＤＭシンボルにおいて、ＤＭＲＳの少なくとも第２のセットの存在のシグナリングを可能にすることである。使用されるシグナリングのタイプに応じて、ＤＭＲＳの第２のセットは、所与の無線デバイスの必要に応じてオンおよびオフに切り替えることができる。低速および／または時間クリティカルなパケットの場合、単一のＯＦＤＭが示され、使用される。
【００３７】
本実施形態の別の利点は、チャネル推定のための複数のＯＦＤＭシンボルが、高速無線デバイスにとって特に重要な、大幅に改善された周波数誤差推定を動的に利用する可能性を可能にすることである。
【図面の簡単な説明】
【００３８】
本実施形態の例は、添付の図面を参照してより詳細に説明される。
【図１】図１は、２つの隣接する物理リソースブロック（ＰＲＢ）にわたって示された１つのサブフレームにおける１つのアンテナポートの構成に対するＤＭＲＳを概略的に示す。
【図２】図２は、無線通信ネットワークの実施形態を概略的に示す。
【図３】図３は、いくつかの実施形態に従う、結合されたフローチャートとシグナリング方式である。
【図４】図４は、無線ネットワークノードにより実行される方法の実施形態を概略的に示すフローチャートである。
【図５】図５は、無線ネットワークノードの実施形態を概略的に示すブロック図である。
【図６】図６は、いくつかの実施形態に従う、第１の例示的なＤＭＲＳ構成を概略的に示す。
【図７】図７は、いくつかの実施形態に従う、第２の例示的なＤＭＲＳ構成を概略的に示す。
【図８】図８は、無線デバイスにより実行される方法の実施形態を概略的に示すフローチャートである。
【図９】図９は、無線デバイスの実施形態を示すブロック図である。
【発明を実施するための形態】
【００３９】
本実施形態の一部として、最先端の通信ネットワークに関するいくつかの問題を最初に特定し、議論する。
【００４０】
１つのＯＦＤＭシンボルにおいてのみにＤＭＲＳを有することによる問題は、無線デバイス等の受信機が高速で移動する場合、受信機がチャネル推定を行うことは非常に困難になるということである。なぜならば、１つのＯＦＤＭシンボルにおいてのみＤＭＲＳが存在するために、受信機が正確な周波数誤差推定を実行するこは不可能であり、または、正確な波数誤差推定を実行する能力が制限されるからである。前述したように、その理由は、同じＯＦＤＭシンボル内ではあるが、異なるサブキャリア等の異なる周波数位置に配置されたＤＭＲＳは、時間誤差推定を可能にするだけであるからである。一般的に、１つ以上のＤＭＲＳを含むＯＦＤＭシンボルが１つのみ存在する場合、周波数誤差推定を実行することは困難である。
【００４１】
したがって、本実施形態の目的は、無線通信ネットワークにおいて改善された性能を提供することである。
【００４２】
目的は、同じサブキャリア上であるが、２つ以上の異なるＯＦＤＭシンボルに配置されるＤＭＲＳを提供する、いくつかの実施形態によって達成され、それにより、周波数誤差推定が可能となる。
【００４３】
更に、いくつかの実施形態は、ＤＭＲＳを構成するためのＲＮＮ、およびＤＭＲＳの構成を可能にするための無線デバイスに関する。
【００４４】
なお、３ＧＰＰ  ＬＴＥからの略語が本開示で実施形態を例示するために使用されるが、当該実施形態の範囲を前述のシステムだけに限定するように理解されるべきではない。例えば、５Ｇ、ＷＣＤＭＡ、ＷｉＭａｘ（Worldwide Interoperability for Microwave Access）、ＵＭＢ（ウルトラモバイルブロードバンド）、およびＧＳＭといった他の無線システムも、本開示内でカバーされる概念を利用することにより利益を得ることができる。
【００４５】
このセクションでは、いくつかの例示的な実施形態により、より詳細に実施形態を示す。これらの実施形態は互いに排他的ではないことに注意すべきである。一つの実施形態からの要素は、別の実施形態に暗黙に想定され得る。そして、それらの要素は、他の例示的な実施形態においてどのように用いられるかは、当業者にとって明らかであろう。更に、説明は、しばしば、ダウンリンクにおける無線送信を指すが、本実施形態は、アップリンクにおいても等しく適用可能である。
【００４６】
本実施形態は、一般的には無線通信ネットワークに関する。無線通信ネットワーク２００を概略的に図２に示す。例えば、本実施形態は、無線通信ネットワーク２００において実装され得る。無線通信ネットワーク２００はセルラ通信ネットワークであり得る。更に、無線通信ネットワーク２００は、ＬＴＥネットワーク、５Ｇネットワーク、ＷＣＤＭＡネットワーク、ＧＳＭネットワーク、任意の３ＧＰＰセルラネットワーク、Ｗｉｍａｘ、または任意の他の無線通信ネットワークまたはシステムであり得る。
【００４７】
無線通信ネットワーク２００は、無線アクセスネットワーク（ＲＡＮ）２０２等の１つ以上のＲＡＮ、および、コアネットワーク（ＣＮ）２０４等の１つ以上のＣＮを含む。無線通信ネットワーク２００は、いくつかの可能な実装について言及すると、Ｗｉ−Ｆｉ、ＬＴＥ、ＬＴＥアドバンスト、５Ｇ、ＷＣＤＭＡ、ＧＳＭ/ＥＤＧＥ（ＧＳＭ進化のための強化型データ）、ＷｉＭａｘ、またはＵＭＢを使用することができる。本実施形態は、５Ｇの状況において特に関心のある最近の技術動向に関するものであるが、実施形態はまた、ＷＣＤＭＡおよびＬＴＥといった既存の無線通信システムの更なる開発にも適用可能である。
【００４８】
ネットワークノード２０６は、ＲＡＮ２０２またはＣＮ２０４において動作している、および／または含まれ得る。いくつかの実施形態では、ネットワークノード２０６はコアネットワーク５０２に含まれ、次いで、ネットワークノード２０６は、コアネットワークノードと呼ばれてもよい。ネットワークノード２０６は、コアネットワーク２０４等の無線通信ネットワーク２００において動作するように構成される。
【００４９】
ネットワークノード２０６は、進化型サービングモバイルロケーションセンター（Ｅ−ＳＭＬＣ）、モバイルスイッチングセンター（ＭＳＣ）、モビリティ管理エンティティ（ＭＭＥ）、オペレーション＆メンテナンス（Ｏ＆Ｍ）ノード、サービングゲートウェイ（Ｓ−ＧＷ）、サービング汎用パケット無線サービス（ＧＰＲＳ）ノード（ＳＧＳＮ）等であり得る。
【００５０】
無線通信ネットワーク２００において、移動局、非アクセスポイント（非ＡＰ）ＳＴＡ、ＳＴＡ、ユーザ装置、および／または、無線端末といった無線デバイス２０８等の無線デバイスは、ＲＡＮ等の１つ以上のアクセスネットワーク（ＡＮ）を介して１つ以上のコアネットワーク（ＣＮ）と通信する。したがって、無線デバイス２０８は、無線通信ネットワーク２００において動作している。
【００５１】
当業者であれば、「無線デバイス」は、任意の端末、通信デバイス、無線通信端末、ユーザ機器、マシーンタイプ通信（ＭＴＣ）デバイス、デバイス・ツー・デバイス（Ｄ２Ｄ）端末、または、スマートフォン、ラップトップ、携帯電話、センサー、中継機、モバイルタブレット、ＩｏＴ（インターネットオブシングス）デバイス、セルラーＩｏＴ（ＣＩｏＴ）デバイス、またはサービスエリア内で通信する小型基地局等のノードを意味する非限定的な用語であることを理解されたい。
【００５２】
本開示では、通信デバイス、端末、無線デバイス、およびＵＥという用語は、同じ意味に使用される。本文書で使用されているユーザ装置という用語には、ユーザがいなくても、マシーン・ツー・マシーン（Ｍ２Ｍ）デバイスなどの他の無線デバイスも含まれる。
【００５３】
無線通信ネットワーク２００は、５Ｇ、ＬＴＥ、Ｗｉ−Ｆｉ等の第１の無線アクセス技術（ＲＡＴ）のセル、クラスタ、ビーム、またはビームグループとも呼ばれる、地理的エリア、サービスエリア２１０ａを介して無線カバレッジを提供する無線ネットワークノード（ＲＮＮ）２１０を含む。ＲＮＮ２１０は、無線通信ネットワーク２００において動作するとも言える。ＲＮＮ２１０は、無線ローカルエリアネットワーク（ＷＲＡＮ）アクセスポイントまたはアクセスポイントステーション（ＡＰ  ＳＴＡ）、アクセスコントローラや、ノードＢ、進化型ノードＢ（ｅＮＢ、ｅＮｏｄｅＢ）、無線基地局、無線遠隔ユニット、アクセスポイント基地局、基地局ルータ、無線基地局の送信構成、スタンドアロンアクセスポイントといった無線基地局等の基地局、または、例えば第１の無線アクセス技術と使用される用語に依存して、第１のアクセスポイント２１０によってサービスが提供されるサービスエリア内の無線デバイスと通信することができる任意の他のネットワークユニットといった無線アクセスネットワークノード等、送信および受信ポイントであり得る。ＲＮＮ２１０は、サービング無線ネットワークノードと呼ばれ、無線デバイス２０８へのダウンリンク（ＤＬ）送信および無線デバイス２０８からのアップリンク（ＵＬ）送信で無線デバイス２０８と通信する。ＲＮＮ２１０の他の例は、マルチスタンダード無線（ＭＳＲ）ＢＳといったＭＳＲ、ネットワークコントローラ、無線ネットワークコントローラ（ＲＮＣ）、基地局コントローラ（ＢＳＣ）、中継機、中継機を制御するドナーノード、基地送受信局（ＢＴＳ）、アクセスポイント（ＡＰ）、送信ポイント、送信ノード、遠隔無線ユニット（ＲＲＵ）、リモートラジオヘッド（ＲＲＨ）、分散アンテナシステム（ＤＡＳ）のノード等である。
【００５４】
本開示では、地理的エリア２１０ａは、ときに地理的エリア、セル、またはクラスタと称され、ＲＮＮ２１０は無線カバレッジを提供する。
【００５５】
更に、本開示において、「サブフレーム」という用語は、ＲＮＮが単一のインスタンスでスケジュールする最小時間単位であると理解すべきである。ＬＴＥでは、これは１ｍｓである。しかしながら、５Ｇでは、この時間単位はより小さくてもよく、典型的には、構成されたサブキャリア間隔に依存してもよい。更に、３ＧＰＰは、５Ｇの標準化の背景でこのユニットを「スロット」と呼ぶ新しい用語を採用している。この実践は本開示では使用されない。
【００５６】
更に、本開示において、「スロット」という用語は、サブフレームの一部であると理解されるべきである。ＬＴＥでは、サブフレームを構成する２つのスロットが存在する。この記法は、３ＧＰＰが５Ｇに対して採用した用語「スロット」に対する更新された使用法と混同されるべきではない。
【００５７】
図３は、本実施形態に従う、結合されたフローチャートとシグナリング方式である。
【００５８】
［アクション３０１］
ＲＮＮ２１０は、無線デバイス２０８へ、使用されるＤＭＲＳ構成に関する入力に対する要求を送信し得る。したがって、ＲＮＮ２１０は、１つのＯＦＤＭシンボルまたは複数の異なるＯＦＤＭシンボルにおいて２つ以上のＤＭＲＳが送信されるべきかに関する入力を、無線デバイス２０８に要求し得る。先に説明したように、無線デバイス２０８が静止している場合、または低速で移動している場合、または時間クリティカルな復号化の場合には、無線デバイス２０８からの入力は、サブフレームの最初における１つのＯＦＤＭシンボル等、ＤＭＲＳを含む１つのＯＦＤＭシンボルであることが好ましいとすることができる。時間クリティカルな復号化の例は、単に少し述べるのであれば、遠隔制御や触覚的なインターネットアプリケーションのような低レイテンシのアプリケーションである。しかしながら、無線デバイス２０８が高速で移動している場合、または非時間クリティカルな復号化の場合には、無線デバイス２０８からの入力は、ＤＭＲＳを含む２つ以上のＯＦＤＭシンボルが好ましいとすることができる。非時間クリティカルな復号化の例は、単に少し述べるのであれば、データ転送がファイル転送、ウェブブラウジング、または遅延に敏感でないアプリケーションである場合である。
【００５９】
本開示ではときに、ＤＭＲＳを含む第１のＯＦＤＭシンボルと、ＤＭＲＳを含む第２のＯＦＤＭシンボルとが参照される。第１および第２のＯＦＤＭシンボルは、サブフレームにおける任意のＯＦＤＭシンボルであり得る。しかしながら、ＤＭＲＳを含むＯＦＤＭシンボルの数は２以上であってもよいことが理解されるべきである。すなわち、ここでのいくつかの実施形態は、ＤＭＲＳを含む複数のＯＦＤＭシンボルに関連する。
【００６０】
［アクション３０２］
無線デバイス２０８は、ＤＭＲＳ構成またはＤＭＲＳ構成に関する入力を決定し得る。例えば、無線デバイス２０８は、ＤＭＲＳを含む、第１のＯＦＤＭシンボル等の１つのＯＦＤＭシンボル、または、１つ以上の第２のＯＦＤＭシンボル等のいくつかのＯＦＤＭシンボルが好ましいかを決定し得る。 ＤＭＲＳ構成は、ＤＭＲＳを含む第１のＯＦＤＭシンボル、および、ＤＭＲＳを含む１つ以上の第２のＯＦＤＭシンボルに関するものとして言及されてもよい。
【００６１】
［アクション３０３］
無線デバイス２０８は、受信した要求に対する応答として、ＤＭＲＳ構成に関する入力を、ＲＮＮ２１０へ送信し得る。
【００６２】
［アクション３０４］
ＲＮＮ２１０は、使用されるＤＭＲＳ構成を決定する。いくつかの実施形態では、ＲＮＮ２１０は、無線デバイス２０８から受信したＤＭＲＳ構成に関する入力に基づいてＤＭＲＳ構成を決定する。代替的にまたは追加的に、ＲＮＮ２１０は、異なるＤＭＲＳ構成に対する、性能、例えばスペクトル効率に関する情報に基づいて、ＤＭＲＳ構成を決定し得る。
【００６３】
本開示で使用される場合の「スペクトル効率」という表現は、無線通信ネットワーク２００等の通信システムにおける所与の帯域幅にわたって送信され得る情報レートに関連する。「スペクトル効率」、「スペクトル効率」、および「帯域幅効率」という用語は、本開示では同じ意味に使用されてもよい。
【００６４】
以下に述べるように、ＤＭＲＳ構成は、第１の送信に対するＤＭＲＳを含む第１のＯＦＤＭシンボル、および、第１の送信に対するＤＭＲＳを含む第２のＯＦＤＭシンボルのうちの１つ以上に関連するように動的に構成され得る。
【００６５】
［アクション３０５］
ＲＮＮ２１０は、使用されるＤＭＲＳ構成を無線デバイス２０８に示す。例えば、ＲＮＮ２１０は、使用されるＤＭＲＳ構成の指標を、無線デバイス２０８に送信し得る。指標は、暗示的または明示的であり得る。例えば、ＲＮＮ２１０は、ＤＭＲＳを含む少なくとも第２のＯＦＤＭシンボルが送信に含まれるか、または送信に含まれるかどうかを示すインジケータを明示的に送信することができる。当該インジケータは、単一のビットまたはフラグであり得る。しかしながら、以下に説明するように、ＲＮＮ２１０は、無線デバイス２０８に送信されたスケジューリングメッセージにおける情報に基づいて、暗示的に指標をシグナリングすることができる。更に、指標は、無線リソース制御（ＲＲＣ）シグナリングにおいてシグナリングされ得る。
【００６６】
［アクション３０６］
ＲＮＮ２１０は、ＤＭＲＳ構成に従ってＤＭＲＳを無線デバイス２０８へ送信する。
【００６７】
［アクション３０７］
無線デバイス２０８は、受信したＤＭＲＳに基づいて、周波数誤差推定値を決定し得る。
【００６８】
［アクション３０８］
無線デバイス２０８は、決定された周波数誤差推定値またはそれに関する情報をＲＮＮ２１０に送信し得る。
【００６９】
［アクション３０９］
ＲＮＮ２１０は、ＤＭＲＳ構成を更新することができる。例えば、ＲＮＮ２１０は、ＤＭＲＳを含む単一のＯＦＤＭシンボルから、ＤＭＲＳを含む複数のＯＦＤＭシンボルに変更することができ、またはその逆も可能である。
【００７０】
ＲＮＮ２１０は、無線デバイス２０８から受信した周波数誤差推定値に基づいて、ＤＭＲＳ構成の更新を実行し得る。
【００７１】
ＤＭＲＳ等のＲＳを構成するためにＲＮＮ２１０によって実行される方法の例を、図４に示すフローチャートを参照して説明する。先に述べたように、ＲＮＮ２１０と無線デバイス２０８は無線通信ネットワーク２００において動作している。
【００７２】
方法は以下のアクションの１つ以上を含む。したがって、アクションの１つ以上はオプションであり得る。アクションは任意の適切な順序で行われ、いくつかのアクションが組み合わされてもよいことを理解されたい。
【００７３】
［アクション４０１］
いくつかの実施形態では、ＲＮＮ２１０は、無線デバイス２０８へ、ＤＭＲＳ構成に関する入力に対する要求を送信する。これは、先に説明したアクション３０１に関連する。先に説明したように、無線デバイス２０８が静止している場合、または低速で移動している場合、または時間クリティカルな復号化の場合には、無線デバイス２０８からの入力は、ＤＭＲＳを含む１つのＯＦＤＭシンボル、例えばサブフレームの最初における１つのＯＦＤＭシンボル、であることが好ましいとすることができる。しかしながら、無線デバイス２０８が高速で移動している場合、または非時間クリティカル復号化の場合には、無線デバイス２０８からの入力は、ＤＭＲＳを含む２つ以上のＯＦＤＭシンボルが好ましいとすることができる。
【００７４】
［アクション４０２］
いくつかの実施形態では、ＲＮＮ２１０は、無線デバイス２０８から、ＤＭＲＳ構成に関する入力を受信する。これは、先に説明したアクション３０３に関連する。
【００７５】
［アクション４０３］
ＲＮＮ２１０は、使用されるＤＭＲＳ構成を決定する。上記のアクション３０４に関して説明したように、いくつかの実施形態では、ＲＮＮ２１０は、無線デバイス２０８から受信したＤＭＲＳ構成に関する入力に基づいてＤＭＲＳ構成を決定する。代替的にまたは追加的に、ＲＮＮ２１０は、異なるＤＭＲＳ構成に対する、性能、例えばスペクトル効率に関する情報に基づいてＤＭＲＳ構成を決定することができる。
【００７６】
以下に述べるように、ＤＭＲＳ構成は、第１の送信に対するＤＭＲＳを含む第１のＯＦＤＭシンボル、および、第１の送信に対するＤＭＲＳを含む第２のＯＦＤＭシンボルのうちの１つ以上に関連するように動的に構成可能であり得る。
【００７７】
第１および第２のＯＦＤＭシンボルは、単一のサブフレームに含まれ得る。
【００７８】
更に、以下に説明するように、いくつかの実施形態において、第１のＯＦＤＭシンボルはサブフレームの最初に位置し、第２のＯＦＤＭシンボルはサブフレームの最後に位置する。
【００７９】
更に、以下に説明するように、いくつかの実施形態において、第１のアンテナポート上の第１の送信に対するＤＭＲＳの第１のセットのＤＭＲＳは、第１のＯＦＤＭシンボルのすべての２番目のサブキャリアに配置され、第１の送信に対するＤＭＲＳの第２のセットのＤＭＲＳは、第２のＯＦＤＭシンボルのすべての２番目のサブキャリアに配置される。
【００８０】
更に、以下に説明するように、いくつかの実施形態において、第１のアンテナポート上の第１の送信に対するＤＭＲＳの第１のセットのＤＭＲＳは、第１のＯＦＤＭシンボルのすべての４番目のサブキャリアに配置され、第１の送信に対するＤＭＲＳの第２のセットのＤＭＲＳは、第２のＯＦＤＭシンボルのすべての４番目のサブキャリアに配置される。
【００８１】
［アクション４０４］
ＲＮＮ２１０は、使用されるＤＭＲＳ構成を無線デバイス２０８に示す。例えば、ＲＮＮ２１０は、使用されるＤＭＲＳ構成の指標を、無線デバイス２０８に送信し得る。それにより、使用されるＤＭＲＳ構成について無線デバイス２０８に通知する。したがって、第１の送信等の送信を受信した場合、無線デバイス２０８は、ＤＭＲＳがどのように送信されるかについての知識を有することになり、それにより、改善された周波数誤差推定が無線デバイスによって実行され得る。これは、先に説明したアクション３０５に関連する。
【００８２】
［アクション４０５］
ＲＮＮ２１０は、ＤＭＲＳ構成に従ってＤＭＲＳを無線デバイス２０８へ送信する。これは、先に説明したアクション３０６に関連する。
【００８３】
［アクション４０６］
いくつかの実施形態では、ＲＮＮ２１０は、無線デバイス２０８から、決定された周波数誤差推定値またはそれに関連する情報を受信する。これは、先に説明したアクション３０８に関連する。
【００８４】
また、ＲＮＮ２１０は、ＤＭＲＳ構成に従ってＤＭＲＳに関するフィードバックを無線デバイス２０８から受信することができることも理解されたい。
【００８５】
更に、無線デバイス２０８がＤＭＲＳ構成に従ってＤＭＲＳを送信するいくつかの実施形態では、ＲＮＮ２１０は、ＤＭＲＳ構成に従って送信されたＤＭＲＳを無線デバイス２０８から受信することができることを理解されたい。
【００８６】
［アクション４０７］
ＲＮＮ２１０は、ＤＭＲＳ構成を更新し得る。例えば、ＲＮＮ２１０は、ＤＭＲＳを含む単一のＯＦＤＭシンボルから、ＤＭＲＳを含む複数のＯＦＤＭシンボルに変更することができ、またはその逆も可能である。 したがって、ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能である。
【００８７】
ＲＮＮ２１０は、無線デバイス２０８から受信した周波数誤差推定値に基づいて、ＤＭＲＳ構成の更新を実行し得る。これは、先に説明したアクション３０９に関連する。
【００８８】
ＤＭＲＳ等のＲＳを構成するための方法を実行するために、ＲＮＮ２１０は、図５に示す構成に従って構成され得る。先に述べたように、ＲＮＮ２１０と無線デバイス２０８は無線通信ネットワーク２００において動作するように構成される。
【００８９】
いくつかの実施形態では、ＲＮＮ２１０は、無線デバイス２０８等の１つ以上の通信デバイス、および、ネットワークノード２０６、隣接のＲＮＮ（不図示）等の１つ以上のネットワークノードと通信するように構成された入力および出力インタフェース５００を有する。入力および出力インタフェース５００は、無線受信器（不図示）および無線送信器（不図示）を有し得る。
【００９０】
ＲＮＮ２１０は、受信するように構成された受信モジュール５０１の手段等により、Ｅ−ＳＭＬＣ等のネットワークノード２０６または無線デバイス２０８からの送信を受信するように構成される。受信モジュール５０１は、ＲＮＮ２１０のプロセッサ５０７によって実装されてもよいし、またはＲＮＮ２１０のプロセッサ５０７と通信可能に配置されてもよい。プロセッサ５０７は、以下により詳細に説明される。
【００９１】
例えば、ＲＮＮ２１０は、無線デバイス２０８から、ＤＭＲＳ構成に関する入力を受信するように構成される。
【００９２】
いくつかの実施形態では、ＲＮＮ２１０は、無線デバイス２０８から、決定された周波数誤差推定値またはそれに関連する情報を受信するように構成され得る。
【００９３】
また、ＲＮＮ２１０は、ＤＭＲＳ構成に従ってＤＭＲＳに関するフィードバックを無線デバイス２０８から受信することができることも理解されたい。更に、無線デバイス２０８がＤＭＲＳ構成に従ってＤＭＲＳを送信するいくつかの実施形態では、ＲＮＮ２１０は、ＤＭＲＳ構成に従って送信されたＤＭＲＳを無線デバイス２０８から受信することができることを理解されたい。
【００９４】
ＲＮＮ２１０は、送信するように構成された送信モジュール５０２の手段等により、無線デバイス２０８への送信を送信するように構成される。送信モジュール５０２は、ＲＮＮ２１０のプロセッサ５０７によって実装されてもよいし、またはＲＮＮ２１０のプロセッサ５０７と通信可能に配置されてもよい。
【００９５】
例えば、ＲＮＮ２１０は、無線デバイス２０８へ、ＤＭＲＳ構成に関する入力に対する要求を送信するように構成され得る。
【００９６】
いくつかの実施形態では、ＲＮＮ２１０は、使用されるＤＭＲＳ構成の指標を、無線デバイス２０８に送信するように構成される。
【００９７】
ＲＮＮ２１０は、ＤＭＲＳ構成に従ってＤＭＲＳを無線デバイス２０８へ送信するように構成される。
【００９８】
ＲＮＮ２１０は、決定するように構成された決定モジュール５０３の手段等により、ＤＭＲＳ構成等のＲＳの構成を決定するように構成される。決定モジュール５０３は、ＲＮＮ２１０のプロセッサ５０７によって実装されてもよいし、またはＲＮＮ２１０のプロセッサ５０７と通信可能に配置されてもよい。
【００９９】
ＲＮＮ２１０は、使用されるＤＭＲＳ構成を決定するように構成される。上記のアクション３０４に関して説明したように、いくつかの実施形態では、ＲＮＮ２１０は、無線デバイス２０８から受信したＤＭＲＳ構成に関する入力に基づいてＤＭＲＳ構成を決定するように構成される。代替的にまたは追加的に、ＲＮＮ２１０は、異なるＤＭＲＳ構成に対する、性能、例えばスペクトル効率に関する情報に基づいて、ＤＭＲＳ構成を決定するように構成され得る。
【０１００】
ＲＮＮ２１０は、更新するように構成された更新モジュール５０４の手段等により、ＤＭＲＳ構成等のＲＳ構成を更新するように構成され得る。取得モジュール５０４は、ＲＮＮ２１０のプロセッサ５０７によって実装されてもよいし、またはＲＮＮ２１０のプロセッサ５０７と通信可能に配置されてもよい。
【０１０１】
ＲＮＮ２１０は、ＤＭＲＳ構成を更新するように構成され得る。例えば、ＲＮＮ２１０は、ＤＭＲＳを含む単一のＯＦＤＭシンボルから、ＤＭＲＳを含む複数のＯＦＤＭシンボルに変更することができ、またはその逆も可能である。
【０１０２】
ＲＮＮ２１０は、１つ以上の他のモジュール５０５等により、ここに記載した１つ以上の他のアクションを実行するように構成され得る。
【０１０３】
ＲＮＮ２１０は、データを格納するための手段も有し得る。いくつかの実施形態では、ＲＮＮ２１０は、データを格納するように構成されたメモリ５０６を有する。データは、処理されたまたは処理されていないデータおよび／またはそれに関する情報であってもよい。メモリ５０６は、１つ以上のメモリユニットを有し得る。更に、メモリ５０６は、コンピュータデータ記憶装置またはコンピュータメモリ、読み出し専用メモリ、揮発性メモリまたは不揮発性メモリなどの半導体メモリであってもよい。メモリは、ＲＮＮ２１０において実行された場合に本方法を実行するために、取得した情報、記憶データ、構成、スケジューリングおよびアプリケーション等を格納するために配置される。
【０１０４】
ＤＭＲＳ等のＲＳの構成を可能にするための本実施形態は、本実施形態の機能および／または方法のアクションを実行するためのコンピュータプログラムコードとともに、図５に示す構成におけるプロセッサ５０７といった１つ以上のプロセッサを介して実装され得る。上述のプログラムコードは、例えばＲＮＮ２１０にロードされるときに本実施形態を実行するためのコンピュータプログラムコードを担持するデータキャリアの形態のコンピュータプログラム製品として提供されてもよい。そのようなキャリアの1つは、電子信号、光信号、無線信号、またはコンピュータ可読記憶媒体の形態であってもよい。コンピュータ可読記憶媒体は、ＣＤ  ＲＯＭディスクまたはメモリスティックであり得る。
【０１０５】
コンピュータプログラムコードは更に、サーバ上、または、ＲＮＮ２１０にダウンロードされるプログラムとして提供され得る。
【０１０６】
当業者であれば、上記の入力／出力インタフェース５００、受信モジュール５０１、送信モジュール５０２、決定モジュール５０３、更新モジュール５０４、および１つ以上の他のモジュール５０５は、アナログおよびデジタル回路の組み合わせ、および／または、ＲＮＮ２１０におけるプロセッサといった１つ以上のプロセッサによって実行されると、上述したように実行する、例えばメモリ５０６に格納された、ソフトウェアおよび／またはファームウェアで構成された１つ以上のプロセッサを指してもよい。これらのプロセッサのうちの１つ以上は、他のデジタルハードウェアと同様に、単一の特定用途向け集積回路（ＡＳＩＣ）に含まれてもよく、または、いくつかのプロセッサおよび様々なデジタルハードウェアが、個々にパッケージ化されているか、システムオンチップ（ＳｏＣ）に組み立てられているかに関係なく、いくつかの別個のコンポーネント間で分散されてもよい。
【０１０７】
いくつかの実施形態は、データ復調に使用されるアンテナポートに関連付けられたＤＭＲＳが、単一のＯＦＤＭシンボルにマッピングされるか、または単一のサブフレームにおける複数のＯＦＤＭシンボルにマッピングされるかどうかを、動的に構成する等、構成することを含む。これは、先に説明したアクション３０４と４０３に関連する。
【０１０８】
例えば、いくつかの実施形態では、ＲＮＮ２１０等の送信機は、ＤＭＲＳが単一のＯＦＤＭシンボルにマッピングされるか、単一のサブフレーム内の複数のＯＦＤＭシンボルにマッピングされるかどうかを、動的に構成する等、構成する。述べたように、ＤＭＲＳはデータ復調のために使用されるアンテナポートに関連付けられる。したがって、ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能であり得る。
【０１０９】
ＤＭＲＳの１つ以上のＯＦＤＭシンボルへのマッピングを動的に構成することにより、ＤＭＲＳ位置、例えば１つ以上のＯＦＤＭシンボルにおけるＤＭＲＳの位置は、無線デバイス２０８等の受信機の速度に適合され得る。したがって、ＤＭＲＳの位置は、受信機が静止しているか、またはゆっくり移動しているとき等の低い端末速度に、および、受信機が自動車または列車で移動するとき等の高い端末速度に、それぞれ適合され得る。
【０１１０】
低速またはゼロ速度または時間クリティカルな復号化は、サブフレームまたは送信時間間隔（ＴＴＩ）内の単一のＯＦＤＭシンボルの復号化に対応し、ＯＦＤＭシンボルはＤＭＲＳを含む。これは、単一のＯＦＤＭシンボル上のチャネルを測定した後にチャネル推定が利用可能であるため、データの早期復号開始を可能にする。
【０１１１】
本開示で使用される場合、「時間クリティカルな復号化」という表現は、遠隔制御および触覚的なインターネットアプリケーションのような低遅延アプリケーションのような時間クリティカルなデータの復号を意味する。
【０１１２】
ＴＴＩは、物理レイヤに渡される、ＭＡＣ（媒体アクセス制御）プロトコルデータユニット（ＰＤＵ）等のデータユニット間の最小時間である。これは通常、データブロックが物理的な伝送のために符号化される時間でもある。更に、ＴＴＩは、無線サブフレーム長の倍数等、サブフレームの倍数であってもよい。しかしながら、本開示ではときに、「サブフレーム」および「ＴＴＩ」は、同じ意味で使用される。
【０１１３】
高速または非時間クリティカルな復号化は、サブフレームまたはＴＴＩ内の複数のＯＦＤＭシンボルの復号化に対応し、ＯＦＤＭシンボルはＤＭＲＳを含む。そのようなシナリオでは、ＤＭＲＳアンテナポートは、その特定のアンテナポートのために、無線デバイス２０８等の受信機における時間方向のチャネル補間（内挿）または外挿を可能にするために、少なくとも２つの異なるＯＦＤＭシンボルにおいてＤＭＲＳリソースエレメント（ＲＥ）を使用している。ＤＭＲＳを搬送する複数のＯＦＤＭシンボルの場合、復号化が開始する前に、サブフレーム全体を受信しなければならない場合があるため、早期復号化は不可能である可能性がある。これは、ＤＭＲＳを搬送するＯＦＤＭシンボルが、サブフレームの最初と最後に位置する場合であり得る。すべての場合において、ＤＭＲＳを含むすべてのＯＦＤＭシンボルは、チャネル推定値が計算されるように受信されるべきである。しかしながら、ＯＦＤＭシンボルの復号化が開始された後、最後のＤＭＲＳを含むＯＦＤＭシンボルの後に続くデータを有するＯＦＤＭシンボルが受信されてもよい。
【０１１４】
これは、先に説明したアクション３０１〜３０４および４０１〜４０３に関連する。例えば、これらのアクションでは、ＲＮＮ２１０がＤＭＲＳ構成に関する入力を無線デバイス２０８に要求し、無線デバイス２０８は、その速度または時間クリティカルな復号化に関する要求に依存し得る入力を決定することが記載されている。ここで更に、ＲＮＮ２１０が受信された入力に基づいてＤＭＲＳ構成を決定してもよいことが記載されている。
【０１１５】
これはまた、以下に説明するアクション８０１〜８０３に関連する。
【０１１６】
いくつかの実施形態では、ＤＭＲＳを含む１つ以上の第２のＯＦＤＭシンボルが、ＤＭＲＳを含む第１のＯＦＤＭシンボルに加えて利用可能か否かを示すために、インジケータが導入される。したがって、図６を参照すると、インジケータは、ＤＭＲＳを含む少なくとも第２のＯＦＤＭシンボルが送信に含まれているかどうかを示す。これは上述したアクション３０５と４０４に関連し、ＲＮＮ２１０はＤＭＲＳ構成の指標を送信し得る。これはまた、以下に説明するアクション８０４に関連する。先に述べたように、指標は明示的または暗示的であってもよい。図６は、ここに開示されるいくつかの実施形態に従う第１の例示的なＤＭＲＳ構成を概略的に示す。
【０１１７】
図６において、第１のアンテナポート上の第１の送信に対するＤＭＲＳの第１のセットは、ＯＦＤＭシンボル番号２等の第１のＯＦＤＭシンボル上のすべての２番目のサブキャリア上に配置される。ＤＭＲＳの第１セットのＤＭＲＳは、図６に黒塗りの四角で示されている。第１のアンテナポート上の第１の送信に対するＤＭＲＳの第２のセットは、ＯＦＤＭシンボル番号９等の第２のＯＦＤＭシンボル上のすべての２番目のサブキャリア上に配置される。ＤＭＲＳ  ＲＥの第２のセットのＤＭＲＳは、下向きの斜線でに示されている。
【０１１８】
図６において、ｘでマークされた位置は、第２のアンテナポート上の、第２の送信等の別の送信の、ＤＭＲＳの第３のセットおよびＤＭＲＳの第４のセット等のＤＭＲＳのために予約されている。したがって、ＤＭＲＳの第３のセットは第１のＯＦＤＭシンボル上に配置され、ＤＭＲＳの第４のセットは第２のＯＦＤＭシンボル上に配置され得る。
【０１１９】
いくつかの実施形態では、インジケータは、データ送信をスケジューリングする、ダウンリンク制御情報（ＤＣＩ）等の制御情報に含まれる。
【０１２０】
あるいは、いくつかの実施形態では、インジケータは上位レイヤのシグナリングを用いて準静的に構成される。本開示で使用される場合、「上位レイヤのシグナリングを用いて準静的に構成される」という表現は、インジケータが、２つの上位レイヤのシグナリング間、例えば、第１の上位レイヤの信号と第２の上位レイヤの信号との間で、同じまたは変更されない等、静的であるように構成され、第２の上位レイヤの信号により変更され得ることを意味する。
【０１２１】
ＤＭＲＳを含む第２のＯＤＦＭシンボルは、サブフレームの物理的ダウンリンク共用チャネル（ＰＤＳＣＨ）または物理アップリンク共用チャネル（ＰＵＳＣＨ）領域の最後のＯＦＤＭシンボルに配置され、ＰＤＳＣＨを用いたダウンリンク通信の場合に無線デバイス２０８等の受信機におけるチャネル外挿の必要性を回避する。それに対応して、ＰＵＳＣＨを用いるアップリンク通信の場合、ＤＭＲＳは、無線デバイス２０８からＲＮＮ２１０に送信される。すなわち、ＤＭＲＳは、ダウンリンクとアップリンクの両方においてＤＭＲＳ構成に従って送信され得る。更に、ＤＭＲＳのアップリンク送信の場合では、無線デバイス２０８は送信機と呼ばれ、ＲＮＮ２１０は受信機と呼ばれてもよいことを理解されたい。同じサブフレームのＤＭＲＳ間、例えばサブフレームの最初と最後のＯＦＤＭシンボルにおけるＤＭＲＳ間での補間が、周波数誤差を推定する等、チャネルを決定するのに十分であるため、外挿の必要性は回避される。
【０１２２】
ＤＭＲＳがサブフレームの最初のＯＦＤＭシンボルおよび最後のＯＦＤＭシンボルに配置されるいくつかの実施形態では、ＤＭＲＳを含む２つのＯＦＤＭシンボル間の補間のみが、チャネルを得るために、例えば、 サブフレーム内の任意のＯＦＤＭシンボルにおける所与のアンテナポートについて、チャネルを決定し、または周波数誤差を決定するために、必要である。 したがって、そのような実施形態では、無線デバイス２０８は、ＤＭＲＳを含む、２つのＯＦＤＭシンボル間、例えば第１および第２のＯＦＤＭシンボル間で補間するだけでよい。補間は一般に、性能のため、例えば性能を向上させるため、外挿よりも好ましい。しかしながら、いくつかの実施形態では、典型的には、ＤＭＲＳを伴う第１のＯＦＤＭシンボルの前、および、ＤＭＲＳを伴う最後の、例えば第２のＯＦＤＭシンボルの後に、1つまたはいくつかのＯＦＤＭシンボルが存在する。図６を参照する。そのような実施形態では、外挿も必要であり得る。これは、以下に説明するアクション８０５に関連する。
【０１２３】
ＰＤＳＣＨまたはＰＵＳＣＨ領域の長さは、スケジューリングＤＣＩ等、スケジューリング制御情報に示されてもよい。したがって、サブフレームにおけるＤＭＲＳを含む第１および／または１つ以上の第２のＯＦＤＭシンボルの位置は、スケジューリングＤＣＩメッセージ等のスケジューリングメッセージの情報に応じて可変である。
【０１２４】
ダウンリンクに対するいくつかの実施形態では、無線デバイス２０８等の受信機は、ＲＮＮ２１０等の送信機に、チャネル状態情報（ＣＳＩ）フィードバックといったフィードバックチャネルを用いて、ＰＤＳＣＨアンテナポート等のアンテナポートまたはＰＵＳＣＨチャネルに対してＤＭＲＳを含む１つ以上のＯＦＤＭシンボルを推奨するかを示す。本開示では、表現「フィードバックチャネル」は、フィードバック信号または応答信号と呼ばれてもよく、これらの用語は同じ意味に使用されてもよいことを理解されたい。
【０１２５】
チャネル状態情報は、１つ以上の送信アンテナと１つ以上の受信アンテナとの間の複素伝達関数行列を示すといった、無線チャネルの特性を説明する情報の一般的な用語である。
【０１２６】
無線デバイス２０８等の受信機は、そのフィードバック信号等のそのフィードバック指標を、その速度の推定値またはそれが静止しているか否かに依存し得る。代替的にまたは追加的に、無線デバイス２０８等の受信機は、そのフィードバック指標を周波数誤差の推定に依存し得る。例えば、システムがサブフレームまたはＴＴＩ毎に、第１および第２のＯＦＤＭシンボル等の、ＤＭＲＳを含む２つのＯＦＤＭシンボルを用いる場合、無線デバイス２０８は、周波数誤差を連続的に推定し、ＲＮＮ２１０等の送信機へ戻し得る。ＲＮＮ２１０はその後、第１のＯＦＤＭシンボル等の１つのＤＭＲＳ搬送ＯＦＤＭシンボルが、報告された誤差が所与の閾値を下回る場合に十分かを決定し得る。
【０１２７】
しかしながら、フィードバック指標は、他の種類の決定基準に基づくことができることを理解されたい。例えば、無線デバイス２０８は、連続するＴＴＩからのチャネル推定値を比較し、それらが非常に類似していると結論し、したがって、第１のＯＦＤＭシンボル等のＤＭＲＳ搬送ＯＦＤＭシンボルを１つだけ使用することができる非可変チャネルを示してもよい。
【０１２８】
これは、先に説明したアクション３０７〜３０８と４０６に関連する。これはまた、以下に説明するアクション８０６と８０７に関連する。
【０１２９】
先に説明した例示的なアクション３０５と４０４に関するいくつかの実施形態では、ＲＮＮ２１０等の送信機から無線デバイス２０８等の受信機に送信された指標は、スケジューリングＤＣＩ等のスケジューリングメッセージにおいて明示的ではないが、むしろ、スケジューリングメッセージ内の情報フィールドの少なくとも１つ、または、複数の組み合わせに暗示的に依存する。例えば、以下の１つ以上である。
・変調コンスタレーション。例えば、直交位相シフトキーイング（ＱＰＳＫ）変調は、ＤＭＲＳを含む１つのＯＦＤＭシンボルが用いられるべきであることを暗示し得る。また、他の変調は、第１および第２のＯＦＤＭシンボル等、ＤＭＲＳを含む２つ以上のＯＦＤＭシンボルが用いられるべきことを暗示し得る。
・変調および符号化方式（ＭＣＳ）。例えば、ＭＣＳ＞ｘであることは、ＤＭＲＳを含む１つだけのＯＦＤＭシンボルが用いられるべきであることを暗示し得る。
・多入力多出力（ＭＩＭＯ）レイヤの数。例えば、ランク１は、ＤＭＲＳを含む１つのＯＦＤＭシンボルが用いられるべきであることを暗示し得る。また、他のランクは、ＤＭＲＳを含む２つ以上のＯＦＤＭシンボルが用いられるべきであることを暗示し得る。
・無線ネットワーク一時識別子（ＲＮＴＩ）タイプ。例えば、時間クリティカルなデータに関連付けられたＲＮＴＩは、ＤＭＲＳを含む１つのＯＦＤＭシンボルが用いられるべきであることを暗示し得る。また、他のＲＮＴＩは、ＤＭＲＳを含む２つ以上のＯＦＤＭシンボルが用いられるべきであることを暗示し得る。
【０１３０】
いくつかの実施形態では、指標は、スケジューリングメッセージが時間クリティカルなスケジューリングに関連付けられた制御チャネルの候補により受信されたか否かに依存する。ここで使用される場合、「時間クリティカルなスケジューリングに関連づけられた制御チャネルの候補」という表現は、例えば規格により、時間クリティカルな送信に関連するスケジューリング情報を搬送するために、いくつかの制御チャネル要素が指定され得ることを意味する。したがって、いくつかの実施形態では、指標は、スケジューリングメッセージが時間クリティカルな送信に対して指定された制御チャネルの要素により受信されたか否かに依存する。
【０１３１】
いくつかの実施形態では、ＲＮＮ２１０は、例えば、サブフレームにおいてＤＭＲＳを含む２つ以上のＯＦＤＭシンボルを周期的にスケジューリングするために、ＤＭＲＳを含む１つ以上の第２のＯＦＤＭシンボルを動的にオンまたはオフに切り替え得る。
【０１３２】
ダウンリンクでは、無線デバイス２０８は、例えば、周波数誤差値を推定し、または、チャネル推定値を比較し、および／または、ＤＭＲＳを含む第１のＯＦＤＭシンボルに加えて、ＤＭＲＳを含む１つ以上の第２のＯＦＤＭシンボルがある場合とない場合の２つの隣接するサブフレーム間の信号対干渉雑音比（ＳＩＮＲ）を決定する。比較に基づいて、無線デバイス２０８は、ＤＭＲＳを含む第１のＯＦＤＭシンボル等の、ＤＭＲＳを含む１つのＯＦＤＭシンボルが十分であるか、または、ＤＭＲＳを含む１つ以上の第２のＯＦＤＭシンボル等の、ＤＭＲＳを含む１つ以上の更なるＯＦＤＭシンボルが必要であるかを、決定し得る。
【０１３３】
本開示において使用される場合、「隣接するサブフレーム」という表現は、後続する、または、ほぼ後に続くサブフレームを意味する。２つのサブフレームを区切ることができるサブフレームの数は、隣接するサブフレームと呼ばれてもよく、時間の経過とともにどのくらいの速さで変化するかによって異なる。
【０１３４】
ダウンリンクでは、ＲＮＮ２１０は、例えば、無線デバイス２０８等の受信機に対して、例えば無線リソース制御（ＲＲＣ）またはアップリンク制御情報（ＵＣＩ）を介して、ＲＮＮ２１０へ推定された周波数誤差値等の測定された周波数誤差値を報告するように要求し得る。推定された周波数誤差値が第１の予め定義されたまたは予め決定された値（ｘ［ｋＨｚ］）より大きい場合、または、ＤＭＲＳを含む２つのＯＦＤＭシンボルを用いた場合の第１のＳＩＮＲ値（ＳＩＮＲ２−ＤＭＲＳ）とＤＭＲＳを含む１つのＯＦＤＭシンボルを用いた場合の第２のＳＩＮＲ値（ＳＩＮＲ１−ＤＭＲＳ）との間の差異（例えば、ＳＩＮＲ２−ＤＭＲＳ−ＳＩＮＲ１−ＤＭＲＳ）が第２の予め定義されたまたは予め決定された値（ｙ）より大きい場合、ＲＮＮ２１０は、ＤＭＲＳを含む第１および第２のＯＦＤＭシンボル等の、ＤＭＲＳを含む２つのＯＦＤＭシンボルをスケジュールするように構成されてもよく、それ以外の場合は、ＲＮＮ２１０は、ＤＭＲＳを含む第１のＯＦＤＭシンボル等の、ＤＭＲＳを含む１つのＯＦＤＭシンボルをスケジュールするように構成されてもよい。
【０１３５】
これは、先に説明したアクション３０１〜３０３、４０１、および４０２に関連する。
【０１３６】
いくつかの実施形態では、ＤＭＲＳを含む１つ以上の第２のＯＦＤＭシンボルは、動的にオンとオフが切り替えられる。例えば、ＲＮＮ２１０は、ＤＭＲＳを含む１つ以上の第２のＯＦＤＭシンボルを動的にオンまたはオフに切り替えるように構成され得る。したがって、ＲＮＮ２１０は、１つ以上の後続のＯＦＤＭサブフレームにおいて、それぞれ１つのＤＭＲＳおよび２つのＤＭＲＳを周期的にスケジュールすることができる。１つの例として以下の表を参照されたい。
2019519959.tif 000003
【０１３７】
サブフレーム２ｎおよびサブフレーム２ｎ＋１の両方において同じ符号化率を使用し、スペクトル効率等の性能を比較することによって、ＲＮＮ２１０は、その比較に基づいてＤＭＲＳを含む１つまたは２つのＯＦＤＭシンボルを選択し得る。これは、先に説明したアクション３０４と４０３に関連する。
【０１３８】
図７は、ここに開示されるいくつかの実施形態に従う第２の例示的なＤＭＲＳ構成を概略的に示す。
【０１３９】
図７において、第１のアンテナポート上の第１の送信に対するＤＭＲＳの第１のセットは、ＯＦＤＭシンボル番号２等の第１のＯＦＤＭシンボル上のすべての４番目のサブキャリア上に配置される。ＤＭＲＳの第１セットのＤＭＲＳは、図７に黒塗りの四角で示されている。第１のアンテナポート上の第１の送信に対するＤＭＲＳの第２のセットは、ＯＦＤＭシンボル番号９等の第２のＯＦＤＭシンボル上のすべての４番目のサブキャリア上に配置される。したがって、ＤＭＲＳの第２のセットのＤＭＲＳは、下向きの斜線で示されている。したがって、第１のセットの各ＤＭＲＳは、第２のセットの１つのＤＭＲＳと同じサブキャリア上に配置される。更に、図７に示す例では、第１の送信のＤＭＲＳに使用されるリソースエレメント（ＲＥ）の総数は、図１に示したレガシーケースにおいて使用されたＲＥの総数と比較して不変である。それにより、そのアンテナポート等のそのレイヤ対する同じ数のＰＤＳＣＨまたはＰＵＳＣＨ  ＲＥが、1つまたはいくつかのＯＦＤＭシンボルがＤＭＲＳを含むかどうかにかかわらず、送信に利用可能である。
【０１４０】
ＤＭＲＳ等のＲＳを受信するために無線デバイス２０８によって実行される方法の例を、図８に示すフローチャートを参照して説明する。前述したように、ＲＮＮ２１０および無線デバイス２０８は、無線通信ネットワーク２００において動作するように構成される。
【０１４１】
方法は以下のアクションの１つ以上を含む。したがって、アクションの１つ以上はオプションであり得る。アクションは任意の適切な順序で行われ、いくつかのアクションが組み合わされてもよいことを理解されたい。
【０１４２】
［アクション８０１］
いくつかの実施形態では、無線デバイス２０８は、ＲＮＮ２１０から、ＤＭＲＳ構成に関する入力に対する要求を受信する。
【０１４３】
これは、先に説明したアクション３０１と４０１に関連する。
【０１４４】
［アクション８０２］
無線デバイス２０８は、ＤＭＲＳ構成に関する入力を決定し得る。これは、アクション８０２において受信された要求に対応してなされ得る。
【０１４５】
先に説明したように、無線デバイス２０８が静止している場合、または低速で移動している場合、または時間クリティカルな復号化の場合には、無線デバイス２０８からの入力は、ＤＭＲＳを含む１つのＯＦＤＭシンボル、例えばサブフレームの最初における１つのＯＦＤＭシンボル、であることが好ましいとすることができる。時間クリティカルな復号化の例は、単に少し述べるのであれば、遠隔制御や触覚的なインターネットアプリケーションのような低レイテンシのアプリケーションである。しかしながら、無線デバイス２０８が高速で移動している場合、または非時間クリティカルな復号化の場合には、無線デバイス２０８からの入力は、ＤＭＲＳを含む２つ以上のＯＦＤＭシンボルが好ましいとすることができる。非時間クリティカルな復号化の例は、単に少し述べるのであれば、データ転送がファイル転送、ウェブブラウジング、または遅延に敏感でないアプリケーションである場合である。
【０１４６】
これは、先に説明したアクション３０２に関連する。
【０１４７】
［アクション８０３］
無線デバイス２０８は、ＤＭＲＳ構成に関する、決定された入力をＲＮＮ２１０へ送信し得る。
【０１４８】
これは、先に説明したアクション３０３に関連する。
【０１４９】
［アクション８０４］
無線デバイス２０８は、ＤＭＲＳ構成の指標をＲＮＮ２１０から受信する。先に述べたように、指標は明示的な指標または暗示的な指標であってもよい。
【０１５０】
先に述べたように、ＤＭＲＳ構成は、第１の送信に対するＤＭＲＳを含む第１のＯＦＤＭシンボル、および、該第１の送信に対するＤＭＲＳを含む第２のＯＦＤＭシンボルのうちの１つ以上に関連するように動的に構成可能であり得る。
【０１５１】
これは、先に説明したアクション３０５と４０４に関連する。
【０１５２】
［アクション８０５］
無線デバイス２０８は、ＤＭＲＳをＲＮＮ２１０から受信する。ＤＭＲＳはＤＭＲＳ構成に従って送信される。
【０１５３】
これは、先に説明したアクション３０６と４０４に関連する。
【０１５４】
［アクション８０６］
無線デバイス２０８は、受信したＤＭＲＳの１つ以上に基づいて、周波数誤差推定値を決定し得る。
【０１５５】
これは、先に説明したアクション３０７に関連する。
【０１５６】
［アクション８０７］
無線デバイス２０８は、フィードバックをＲＮＮ２１０に送信し得る。フィードバックは、決定された周波数誤差推定値またはそれに関する情報を含み得る。上述したように、フィードバックはフィードバックチャネルを介して送信され得る。
【０１５７】
また、無線デバイス２０８は、ＤＭＲＳ構成に従ってＤＭＲＳに関するフィードバックをＲＮＮ２１０に送信してもよいことも理解されたい。
【０１５８】
更に、いくつかの実施形態では、無線デバイス２０８は、ＤＭＲＳ構成に従ってＤＭＲＳを送信することを理解されたい。
【０１５９】
これは、先に説明したアクション３０８に関連する。
【０１６０】
ＤＭＲＳ等のＲＳを受信するための方法を実行するために、無線デバイス２０８は、図９に示す構成に従って構成され得る。先に述べたように、ＲＮＮ２１０と無線デバイス２０８は無線通信ネットワーク２００において動作している。
【０１６１】
いくつかの実施形態では、無線デバイス２０８は、１つ以上の通信デバイス、および、ネットワークノード２０６、ＲＮＮ２１０、または隣接ＲＮＮ（不図示）等の１つ以上のネットワークノードと通信するように構成された入力および出力インタフェース９００を有する。入力および出力インタフェース９００は、無線受信器（不図示）および無線送信器（不図示）を有し得る。
【０１６２】
無線デバイス２０８は、受信するように構成された受信モジュール９０１の手段等により、ＲＮＮ２１０からの送信を受信を行うように構成される。受信モジュール９０１は、無線デバイス２０８のプロセッサ９０６によって実装されてもよいし、または無線デバイス２０８のプロセッサ９０６と通信可能に配置されてもよい。プロセッサ９０６は、以下により詳細に説明される。
【０１６３】
いくつかの実施形態では、無線デバイス２０８は、ＲＮＮ２１０から、ＤＭＲＳ構成に関連する入力に対する要求を受信するように構成される。更に、無線デバイス２０８は、ＤＭＲＳ構成の指標をＲＮＮ２１０から受信するように構成される。更に、無線デバイス２０８は、ＤＭＲＳ構成に従って送信されたＤＭＲＳをＲＮＮ２１０から受信するように構成される。
【０１６４】
無線デバイス２０８は、送信するように構成された送信モジュール９０２の手段等により、ＲＮＮ２１０へ、データまたは情報等の送信を送信するように構成される。送信モジュール９０２は、無線デバイス２０８のプロセッサ９０７によって実装されてもよいし、または無線デバイス２０８のプロセッサ９０７と通信可能に配置されてもよい。
【０１６５】
無線デバイス２０８は、ＤＭＲＳ構成に関する入力をＲＮＮ２１０へ送信するように構成される。更に、無線デバイス２０８は、フィードバックをＲＮＮ２１０に送信するように構成され得る。更に、無線デバイス２０８は、ＤＭＲＳ構成に従ってＤＭＲＳに関連するフィードバックをＲＮＮ２１０へ送信するように構成され得る。更に、いくつかの実施形態では、無線デバイス２０８は、ＤＭＲＳ構成に従ってＤＭＲＳを送信するように構成されることを理解されたい。
【０１６６】
無線デバイス２０８は、決定するように構成された決定モジュール９０３の手段等により、入力またはフィードバックを決定するように構成される。決定モジュール９０３は、無線デバイス２０８のプロセッサ９０６によって実装されてもよいし、または無線デバイス２０８のプロセッサ９０６と通信可能に配置されてもよい。
【０１６７】
無線デバイス２０８は、１つ以上の他のモジュール９０４等により、ここに記載した１つ以上の他のアクションを実行するように構成され得る。
【０１６８】
無線デバイス２０８は、データを格納するための手段も有し得る。いくつかの実施形態では、無線デバイス２０８は、データを格納するように構成されたメモリ９０５を有する。データは、処理されたまたは処理されていないデータおよび／またはそれに関する情報であってもよい。メモリ９０５は、１つ以上のメモリユニットを有し得る。更に、メモリ９０５は、コンピュータデータ記憶装置またはコンピュータメモリ、読み出し専用メモリ、揮発性メモリまたは不揮発性メモリなどの半導体メモリであってもよい。メモリは、無線デバイス２０８において実行された場合に本方法を実行するために、取得した情報、記憶データ、構成、スケジューリングおよびアプリケーション等を格納するために配置される。
【０１６９】
ＤＭＲＳ等のＲＳの構成を可能にするための本実施形態は、本実施形態の機能および／または方法のアクションを実行するためのコンピュータプログラムコードとともに、図９に示す構成におけるプロセッサ９０６といった１つ以上のプロセッサを介して実装することができる。上述のプログラムコードは、例えば無線デバイス２０８にロードされるときに本実施形態を実行するためのコンピュータプログラムコードを担持するデータキャリアの形態のコンピュータプログラム製品として提供されてもよい。そのようなキャリアの１つは、電子信号、光信号、無線信号、またはコンピュータ可読記憶媒体の形態であってもよい。コンピュータ可読記憶媒体は、ＣＤ  ＲＯＭディスクまたはメモリスティックであり得る。
【０１７０】
コンピュータプログラムコードは更に、サーバ上、または、無線デバイス２０８にダウンロードされるプログラムとして提供され得る。
【０１７１】
当業者であれば、上記の入力／出力インタフェース９００、受信モジュール９０１、送信モジュール９０２、決定モジュール９０３、および１つ以上の他のモジュール９０４は、アナログおよびデジタル回路の組み合わせ、および／または、無線デバイスにおけるプロセッサといった１つ以上のプロセッサによって実行されると、上述したように実行する、例えばメモリ９０５に格納された、ソフトウェアおよび／またはファームウェアで構成された１つ以上のプロセッサを指してもよい。これらのプロセッサのうちの１つ以上は、他のデジタルハードウェアと同様に、単一の特定用途向け集積回路（ＡＳＩＣ）に含まれてもよく、または、いくつかのプロセッサおよび様々なデジタルハードウェアが、個々にパッケージ化されているか、システムオンチップ（ＳｏＣ）に組み立てられているかに関係なく、いくつかの別個のコンポーネント間で分散されてもよい。
【０１７２】
［例示的な実施形態］
実施形態１：無線デバイス（２０８）の復調参照信号（ＤＭＲＳ）の構成のために無線ネットワークノード（ＲＮＮ）（２１０）により実行される方法であって、前記ＲＮＮ（２１０）と前記無線デバイス（２０８）は無線通信ネットワーク（２００）において動作しており、前記方法は、
ＤＭＲＳ構成を無線デバイス（２０８）に示すこと（３０５、４０４）を含み、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボルのうちの１つ以上に関連するように動的に構成可能である。
【０１７３】
実施形態２：実施形態１の方法であって、前記第１および第２のＯＦＤＭシンボルは、単一のサブフレームに含まれる。
【０１７４】
実施形態３：実施形態２の方法であって、前記第１のＯＦＤＭシンボルは前記サブフレームの最初に位置し、前記第２のＯＦＤＭシンボルは前記サブフレームの最後に位置する。
【０１７５】
実施形態４：実施形態１から３のいずれか１つの方法であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される。
【０１７６】
実施形態５：実施形態１から３のいずれか１つの方法であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される。
【０１７７】
実施形態６：実施形態１から５のいずれか１つの方法であって、前記ＤＭＲＳ構成を前記無線デバイス（２０８）に示すこと（３０５、４０４）は、
ＤＭＲＳを含む前記第２のＯＦＤＭシンボルを示すインジケータを、前記無線デバイス（２０８）に送信することによってＤＭＲＳ構成を示すことを含み、前記インジケータは単一ビットまたはフラグである。
【０１７８】
実施形態７：実施形態１から５のいずれか１つの方法であって、前記ＤＭＲＳ構成を前記無線デバイス（２０８）に示すこと（３０５、４０４）は、
前記無線デバイス（２０８）に送信されたスケジューリングメッセージにおいて前記ＤＭＲＳ構成を示すことを含む。
【０１７９】
実施形態８：実施形態１から７のいずれか１つの方法であって、更に、
前記ＤＭＲＳ構成に従ってＤＭＲＳを前記無線デバイス（２０８）へ送信すること（３０６、４０５）を含む。
【０１８０】
実施形態９：実施形態１から８のいずれか１つの方法であって、
前記無線デバイス（２０８）から、前記ＤＭＲＳ構成に従って送信されたＤＭＲＳ、または、前記ＤＭＲＳ構成に従って前記ＲＮＮ（２１０）から無線デバイス（２０８）へ送信されたＤＭＲＳに関するフィードバックを受信することを含む。
【０１８１】
実施形態１０：復調参照信号（ＤＭＲＳ）の構成のために無線デバイス（２０８）により実行される方法であって、前記無線デバイス（２０８）と前記ＲＮＮ（２１０）は無線通信ネットワーク（２００）において動作しており、前記方法は、
ＤＭＲＳ構成の指標を前記ＲＮＮ（２１０）から受信すること（３０５、８０４）を含み、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように構成可能である。
【０１８２】
実施形態１１：実施形態１０の方法であって、前記第１および第２のＯＦＤＭシンボルは、単一のサブフレームに含まれる。
【０１８３】
実施形態１２：実施形態１１の方法であって、前記第１のＯＦＤＭシンボルは前記サブフレームの最初に位置し、前記第２のＯＦＤＭシンボルは前記サブフレームの最後に位置する。
【０１８４】
実施形態１３：実施形態１０から１２のいずれか１つの方法であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される。
【０１８５】
実施形態１４：実施形態１０から１２のいずれか１つの方法であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される。
【０１８６】
実施形態１５：実施形態１０から１４のいずれか１つの方法であって、前記指標はＤＭＲＳを含む前記第２のＯＦＤＭシンボルを示すインジケータであり、前記インジケータは単一ビットまたはフラグである。
【０１８７】
実施形態１６：実施形態１０から１４のいずれかの１つの方法であって、前記指標は前記ＤＭＲＳ構成を示すスケジューリングメッセージである。
【０１８８】
実施形態１７：実施形態１０から１６のいずれか１つの方法であって、
前記ＤＭＲＳ構成に従って送信されたＤＭＲＳを前記ＲＮＮ（２１０）から受信すること（３０６、８０５）を含む。
【０１８９】
実施形態１８：実施形態１０から１７のいずれか１つの方法であって、
前記ＲＮＮ（２１０）へ、前記ＤＭＲＳ構成に従うＤＭＲＳ、または、前記ＤＭＲＳ構成に従って前記ＲＮＮ（２１０）から無線デバイス（２０８）へ送信されたＤＭＲＳに関するフィードバックを送信することを含む。
【０１９０】
実施形態１９：無線デバイス（２０８）の復調参照信号（ＤＭＲＳ）の構成のための無線ネットワークノード（ＲＮＮ）であって、前記ＲＮＮ（２１０）と前記無線デバイス（２０８）は無線通信ネットワーク（２００）において動作するように構成され、前記ＲＮＮ（２１０）は、
ＤＭＲＳ構成を前記無線デバイス（２０８）へ示すように構成され、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である。
【０１９１】
実施形態２０：実施形態１９のＲＮＮ（２１０）であって、前記第１および第２のＯＦＤＭシンボルは、単一のサブフレームに含まれる。
【０１９２】
実施形態２１：実施形態２０のＲＮＮ（２１０）であって、前記第１のＯＦＤＭシンボルは前記サブフレームの最初に位置し、前記第２のＯＦＤＭシンボルは前記サブフレームの最後に位置する。
【０１９３】
実施形態２２：実施形態１９から２１のいずれか１つのＲＮＮ（２１０）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される。
【０１９４】
実施形態２３：実施形態１９から２１のいずれか１つのＲＮＮ（２１０）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される。
【０１９５】
実施形態２４：実施形態１９から２３のいずれか１つのＲＮＮ（２１０）であって、前記ＲＮＮ（２１０）は、ＤＭＲＳを含む前記第２のＯＦＤＭシンボルを示すインジケータを、前記無線デバイス（２０８）に送信することによってＤＭＲＳ構成を示すように構成され、前記インジケータは単一ビットまたはフラグである。
【０１９６】
実施形態２５：実施形態１９から２３のいずれか１つのＲＮＮ（２１０）であって、前記ＲＮＮ（２１０）は、前記無線デバイス（２０８）に送信されたスケジューリングメッセージにおいて前記ＤＭＲＳ構成を示すように構成される。
【０１９７】
実施形態２６：実施形態１９から２５のいずれか１つのＲＮＮ（２１０）であって、
前記ＤＭＲＳ構成に従ってＤＭＲＳを前記無線デバイス（２０８）へ送信するように構成される。
【０１９８】
実施形態２７：実施形態１９から２６のいずれか１つのＲＮＮ（２１０）であって、
前記ＤＭＲＳ構成に従って前記無線デバイス（２０８）から送信されたＤＭＲＳ、または、前記ＤＭＲＳ構成に従って前記ＲＮＮ（２１０）から無線デバイス（２０８）へ送信されたＤＭＲＳに関するフィードバックを受信することを含む。
【０１９９】
実施形態２８：復調参照信号（ＤＭＲＳ）の構成のための無線デバイス（２０８）であって、前記無線デバイス（２０８）と前記ＲＮＮ（２１０）は無線通信ネットワーク（２００）において動作しており、前記無線デバイス（２０８）は、
ＤＭＲＳ構成の指標を前記ＲＮＮ（２１０）から受信するように構成され、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である。
【０２００】
実施形態２９：実施形態２８の無線デバイス（２０８）であって、前記第１および第２のＯＦＤＭシンボルは、単一のサブフレームに含まれる。
【０２０１】
実施形態３０：実施形態２９の無線デバイス（２０８）であって、前記第１のＯＦＤＭシンボルは前記サブフレームの最初に位置し、前記第２のＯＦＤＭシンボルは前記サブフレームの最後に位置する。
【０２０２】
実施形態３１：実施形態２８から３０のいずれか１つの無線デバイス（２０８）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される。
【０２０３】
実施形態３２：実施形態２８から３０のいずれか１つの無線デバイス（２０８）であって、第１のアンテナポート上の前記第１の送信に対するＤＭＲＳの第１のセットのＤＭＲＳは、前記第１のＯＦＤＭシンボルのすべての４番目のサブキャリアに配置され、前記第１の送信に対するＤＭＲＳの第２のセットのＤＭＲＳは、前記第２のＯＦＤＭシンボルのすべての４番目のサブキャリアに配置される。
【０２０４】
実施形態３３：実施形態２８から３２のいずれか１つの無線デバイス（２０８）であって、前記指標はＤＭＲＳを含む前記第２のＯＦＤＭシンボルを示すインジケータであり、前記インジケータは単一ビットまたはフラグである。
【０２０５】
実施形態３４：実施形態２８から３２のいずれか１つの無線デバイス（２０８）であって、前記指標は前記ＤＭＲＳ構成を示すスケジューリングメッセージである。
【０２０６】
実施形態３５：実施形態２８から３４のいずれか１つの無線デバイス（２０８）であって、
前記ＤＭＲＳ構成に従って送信されたＤＭＲＳを前記ＲＮＮ（２１０）から受信するように構成される。
【０２０７】
実施形態３６：実施形態２８から３５のいずれか１つのいずれか１つの無線デバイス（２０８）であって、
前記ＲＮＮ（２１０）へ、前記ＤＭＲＳ構成に従うＤＭＲＳ、または、前記ＤＭＲＳ構成に従って前記ＲＮＮ（２１０）から無線デバイス（２０８）へ送信されたＤＭＲＳに関するフィードバックを送信するように構成される。
【０２０８】
実施形態３７：少なくとも１つのプロセッサにおいて実行される場合に、実施形態１から１８のいずれか１つに従う前記方法を、前記少なくとも１つのプロセッサに実行させる命令を含むこコンピュータプログラム。
【０２０９】
実施形態３８：実施形態３７のコンピュータプログラムを含むキャリアであって、前記キャリアは電気信号、光信号、無線信号、またはコンピュータ可読記憶媒体のうちの一つである。
【０２１０】
実施形態３９：無線デバイス（２０８）の復調参照信号（ＤＭＲＳ）の構成のための無線ネットワークノード（ＲＮＮ）であって、前記ＲＮＮ（２１０）と前記無線デバイス（２０８）は無線通信ネットワーク（２００）において動作するように構成され、前記ＲＮＮ（２１０）は、プロセッサ（５０７）とメモリ（５０６）を備え、前記メモリ（５０６）は、前記プロセッサ（５０７）によって実行可能な命令を含み、それによりＲＮＮ（２１０）は、
ＤＭＲＳ構成を前記無線デバイス（２０８）へ示すように動作し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である。
【０２１１】
実施形態４０：復調参照信号（ＤＭＲＳ）の構成のための無線デバイス（２０８）であって、無線デバイス（２０８）と前記ＲＮＮ（２１０）は無線通信ネットワーク（２００）において動作しており、前記無線デバイス（２０８）は、プロセッサ（５０７）とメモリ（５０６）を備え、前記メモリ（５０６）は、前記プロセッサ（５０７）によって実行可能な命令を含み、それにより無線デバイス（２０８）は、
ＤＭＲＳ構成の指標を前記ＲＮＮ（２１０）から受信し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である。
【０２１２】
実施形態４１：無線デバイス（２０８）の復調参照信号（ＤＭＲＳ）の構成のための無線ネットワークノード（ＲＮＮ）であって、前記ＲＮＮ（２１０）と前記無線デバイス（２０８）は無線通信ネットワーク（２００）において動作するように構成され、前記ＲＮＮ（２１０）は、
ＤＭＲＳ構成を前記無線デバイス（２０８）へ示すように構成されたモジュール（５０５）を有し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、の１つ以上に関連する、ように動的に構成可能である。
【０２１３】
実施形態４２：復調参照信号（ＤＭＲＳ）の構成のための無線デバイス（２０８）であって、前記無線デバイス（２０８）と前記ＲＮＮ（２１０）は無線通信ネットワーク（２００）において動作しており、前記無線デバイス（２０８）は、
ＤＭＲＳ構成の指標を前記ＲＮＮ（２１０）から受信するように構成される受信モジュール（９０１）を有し、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である。
【０２１４】
「有する（comprise）」または「有している（comprising）」の語を使う場合は、非限定的に、すなわち、「少なくとも構成される（consist at least of）」という意味に解釈されるべきである。
【０２１５】
記載された実施形態の修正および他の変形が、上記の説明および関連する図面に示された教示の利益を有する当業者に想到するだろう。したがって、本実施形態は、開示される特定の実施例に限定されず、修正および他の変形が本開示の範囲内に含まれることが意図されることが理解されるべきである。ここでは特定の用語が使用されるが、包括的で説明的な意味でのみ使用され、限定の目的では使用されない。
【図１】
2019519959.tif 000004
【図２】
2019519959.tif 000005
【図３】
2019519959.tif 000006
【図４】
2019519959.tif 000007
【図５】
2019519959.tif 000008
【図６】
2019519959.tif 000009
【図７】
2019519959.tif 000010
【図８】
2019519959.tif 000011
【図９】
2019519959.tif 000012
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
無線デバイス（２０８）の復調参照信号（ＤＭＲＳ）の構成のために無線ネットワークノード（ＲＮＮ）（２１０）により実行される方法であって、前記ＲＮＮ（２１０）と前記無線デバイス（２０８）は無線通信ネットワーク（２００）において動作しており、前記方法は
ＤＭＲＳ構成を無線デバイス（２０８）に示すこと（３０５、４０４）を含み、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、方法。
【請求項２】
請求項１に記載の方法であって、前記第１および第２のＯＦＤＭシンボルは、単一のサブフレームに含まれる、方法。
【請求項３】
請求項２に記載の方法であって、前記第１のＯＦＤＭシンボルは前記サブフレームの最初に位置し、前記第２のＯＦＤＭシンボルは前記サブフレームの最後に位置する、方法。
【請求項４】
請求項１から３のいずれか１項に記載の方法であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、方法。
【請求項５】
請求項１から４のいずれかに記載の方法であって、前記ＤＭＲＳ構成を前記無線デバイス（２０８）に示すこと（３０４、４０４）は、
前記無線デバイス（２０８）に送信されたスケジューリングメッセージにおいて前記ＤＭＲＳ構成を示すことを含む、方法。
【請求項６】
復調参照信号（ＤＭＲＳ）の構成のために無線デバイス（２０８）により実行される方法であって、前記無線デバイス（２０８）と前記ＲＮＮ（２１０）は無線通信ネットワーク（２００）において動作しており、前記方法は、
ＤＭＲＳ構成の指標を前記ＲＮＮ（２１０）から受信すること（３０５、８０４）を含み、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、方法。
【請求項７】
請求項６に記載の方法であって、前記第１および第２のＯＦＤＭシンボルは、単一のサブフレームに含まれる、方法。
【請求項８】
請求項７に記載の方法であって、前記第１のＯＦＤＭシンボルは前記サブフレームの最初に位置し、前記第２のＯＦＤＭシンボルは前記サブフレームの最後に位置する、方法。
【請求項９】
請求項６から８のいずれか１項に記載の方法であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、方法。
【請求項１０】
請求項６から９のいずれか１項に記載の方法であって、前記指標はＤＭＲＳを含む前記第２のＯＦＤＭシンボルを示すインジケータであり、前記インジケータは単一ビットまたはフラグである、方法。
【請求項１１】
請求項６から９のいずれか１項に記載の方法であって、前記指標は前記ＤＭＲＳ構成を示すスケジューリングメッセージである、方法。
【請求項１２】
無線デバイス（２０８）の復調参照信号（ＤＭＲＳ）の構成のための無線ネットワークノード（ＲＮＮ）（２１０）であって、前記ＲＮＮ（２１０）と前記無線デバイス（２０８）は無線通信ネットワーク（２００）において動作するように構成され、前記ＲＮＮ（２１０）は、
ＤＭＲＳ構成を前記無線デバイス（２０８）へ示するように構成され、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、ＲＮＮ（２１０）。
【請求項１３】
請求項１２に記載のＲＮＮ（２１０）であって、前記第１および第２のＯＦＤＭシンボルは、単一のサブフレームに含まれる、ＲＮＮ（２１０）。
【請求項１４】
請求項１３に記載のＲＮＮ（２１０）であって、前記第１のＯＦＤＭシンボルは前記サブフレームの最初に位置し、前記第２のＯＦＤＭシンボルは前記サブフレームの最後に位置する、ＲＮＮ（２１０）。
【請求項１５】
請求項１２から１４のいずれか１項に記載のＲＮＮ（２１０）であって、前記無線デバイス（２０８）に送信されたスケジューリングメッセージにおいて前記ＤＭＲＳ構成を示すように構成される、ＲＮＮ（２１０）。
【請求項１６】
復調参照信号（ＤＭＲＳ）の構成のための無線デバイス（２０８）であって、前記無線デバイス（２０８）と前記ＲＮＮ（２１０）は無線通信ネットワーク（２００）において動作しており、前記無線デバイス（２０８）は、
ＤＭＲＳ構成の指標を前記ＲＮＮ（２１０）から受信するように構成され、前記ＤＭＲＳ構成は、
第１の送信に対するＤＭＲＳを含む第１の直交周波数分割多重（ＯＦＤＭ）シンボル、および、前記第１の送信に対するＤＭＲＳを含む第２のＯＦＤＭシンボル、のうちの１つ以上に関連するように動的に構成可能である、無線デバイス（２０８）。
【請求項１７】
請求項１６に記載の無線デバイス（２０８）であって、前記第１および第２のＯＦＤＭシンボルは、単一のサブフレームに含まれる、無線デバイス（２０８）。
【請求項１８】
請求項１７に記載の無線デバイス（２０８）であって、前記第１のＯＦＤＭシンボルは前記サブフレームの最初に位置し、前記第２のＯＦＤＭシンボルは前記サブフレームの最後に位置する、無線デバイス（２０８）。
【請求項１９】
請求項１６から１８のいずれか１項に記載の無線デバイス（２０８）であって、第１のアンテナポート上の前記第１の送信に対するＤＭＲＳの第１のセットのＤＭＲＳは、前記第１のＯＦＤＭシンボルのすべての２番目のサブキャリアに配置され、前記第１の送信に対するＤＭＲＳの第２のセットのＤＭＲＳは、前記第２のＯＦＤＭシンボルのすべての２番目のサブキャリアに配置される、無線デバイス（２０８）。
【請求項２０】
請求項１６から１９のいずれか１項に記載の無線デバイス（２０８）であって、前記指標はＤＭＲＳを含む前記第２のＯＦＤＭシンボルを示すインジケータであり、前記インジケータは単一ビットまたはフラグである、無線デバイス（２０８）。
【請求項２１】
請求項１６から１９のいずれか１項に記載の無線デバイス（２０８）であって、前記指標は前記ＤＭＲＳ構成を示すスケジューリングメッセージである、無線デバイス（２０８）。
【国際調査報告】
2019519959.tif 000013
2019519959.tif 000014
2019519959.tif 000015